(57)【要約】【課題】番組毎の独自サインであって、且つ同一概念となる映像ダイジェストを概念種別が同一のものとして分類し、管理するデジタル放送システムを提供する。【解決手段】各放送番組の識別を示す放送番組識別項目と、各放送番組に共通するコンテンツの種別を示すコンテンツ種別項目とを備えたテンプレートと、当該テンプレートに対して、放送番組毎に放送番組識別項目に番組識別情報を設定し、コンテンツ種別項目に該当する放送番組の各コンテンツの期間を示す番組独自サインを設定した番組サイン情報とを公開するサーバ４０と、受信した放送番組の番組情報と、サーバ４０上に公開された番組サイン情報とを比較し、放送番組毎にそれぞれ異なる番組独自サインに基づいてコンテンツの種別を識別し、複数の放送番組間で同一のコンテンツ種別を有する映像データを提示する放送受信装置３０とを備えた。【選択図】図１
2013157656.tif 000002
【特許請求の範囲】
【請求項１】
放送番組の番組データを格納するサーバと、前記放送番組の放送波を受信して再生すると共に、ネットワークを介して接続された前記サーバに格納された番組データを取得し、利用する放送受信装置とを備えたデジタル放送システムにおいて、
複数の前記放送番組が、それぞれ複数のコンテンツで構成されている場合に、
前記サーバは、前記各放送番組の識別を示す放送番組識別項目と、前記各放送番組に共通するコンテンツの種別を示すコンテンツ種別項目とを備えたテンプレートと、当該テンプレートに対して、放送番組毎に前記放送番組識別項目に番組識別情報を設定し、前記コンテンツ種別項目に該当する放送番組の各コンテンツの区間を示す番組独自サインを設定した番組サイン情報とを公開し、
前記放送受信装置は、前記受信した放送番組の番組情報と、前記サーバ上に公開された前記番組サイン情報とを比較し、放送番組毎にそれぞれ異なる番組独自サインに基づいて前記コンテンツの種別を識別し、複数の放送番組間で同一のコンテンツ種別を有する映像データを提示することを特徴とするデジタル放送システム。
【請求項２】
前記放送受信装置は、
前記放送波を受信する放送受信部と、
予約指示された放送番組を録画する録画処理部と、
前記録画処理部が録画した放送番組を再生する再生処理部と、
前記ネットワークを介して前記サーバに接続するＬＡＮ処理部と、
前記ＬＡＮ処理部を介して、前記サーバ上に公開された対象となる放送番組の番組サイン情報を取得し、取得した番組サイン情報の記述内容を解析し、前記番組独自サインを取得する番組サイン情報パースと、
前記番組サイン情報パースが取得した番組独自サインのサイン種別を判定するサイン種別判定部と、
前記サイン種別判定部が判定したサイン種別に基づいて、前記番組サイン情報パースが取得した番組独自サインを示す情報である特徴データを抽出すると共に、前記再生処理部において再生された放送番組から前記特徴データを抽出する特徴抽出部と、
前記特徴抽出部が抽出した前記番組独自サインの特徴データと、前記再生された放送番組の特徴データとを比較し、前記再生された放送番組から前記番組独自サインを含む映像フレームを検出する比較検出部とを備えたことを特徴とする請求項１記載のデジタル放送システム。
【請求項３】
前記放送受信装置は、
前記番組サイン情報に基づいて、前記再生された放送番組の映像フレームから前記コンテンツの開始点および終了点を検出するコンテンツ開始／終了点判定部と、
前記放送番組の映像フレームを、前記コンテンツ開始／終了点判定部が検出した開始点および終了点に基づいて、前記放送番組の映像フレームから前記コンテンツに対応する映像フレームを切出し、ダイジェスト映像を生成する映像切出処理部と、
前記複数の放送番組から前記映像切出処理部が生成したダイジェスト映像から、前記複数の放送番組間で同一のコンテンツ種別を有するダイジェスト映像を識別してダイジェスト映像一覧として提示するダイジェスト一覧表示制御部とを備えたことを特徴とする請求項２記載のデジタル放送システム。
【請求項４】
前記コンテンツ開始／終了点判定部は、前記再生された放送番組の映像フレームを参照し、前記番組独自サインの開始フレームを前記コンテンツの開始点として検出し、前記番組独自サインの次に出現する次番組独自サインの開始フレームから所定数前の映像フレームを当該コンテンツの終了点として検出することを特徴とする請求項３記載のデジタル放送システム。
【請求項５】
前記テンプレートは、前記コンテンツ種別項目に、コンテンツの開始点の条件を示す開始点条件項目と、コンテンツの終了点の条件を示す終了点条件項目とを設け、
前記番組サイン情報には、前記開始点条件項目および前記終了点条件項目に、前記番組独自サインの開始点および終了点を検出するための条件が設定され、
前記コンテンツ開始／終了点判定部は、前記番組サイン情報に設定された前記開始点条件および前記終了点条件に基づいて、コンテンツの開始点および終了点を検出することを特徴とする請求項３記載のデジタル放送システム。
【請求項６】
前記コンテンツ開始／終了点判定部は、前記再生された放送番組の映像フレームを参照し、コマーシャルコンテンツの終了点および開始点を検出し、検出したコマーシャルコンテンツの終了点および開始点をそれぞれ、前記コンテンツの開始点および終了点として検出することを特徴とする請求項３から請求項５のうちのいずれか１項記載のデジタル放送システム。
【請求項７】
前記コンテンツ開始／終了点判定部は、前記再生された放送番組の映像フレームを参照し、放送番組終了フレームを検出し、当該放送番組終了フレームを前記コンテンツの終了点とすることを特徴とする請求項３から請求項６のうちのいずれか１項記載のデジタル放送システム。
【請求項８】
前記番組独自サインは、前記放送番組の画像データまたは音声データであることを特徴とする請求項１記載のデジタル放送システム。
【請求項９】
前記番組独自サインは、国際標準として規定された特徴記述言語で記述された情報データ、または標準規定ＩＳＯ／ＩＥＣ  １５９３８  Information Technology − Multimedia Content Description Interfaceとして規定されたＳｉｇｎａｔｕｒｅによる算出データであることを特徴とする請求項８記載のデジタル放送システム。
【請求項１０】
前記テンプレートは、前記コンテンツ種別項目に、前記番組独自サインの種別を示すサイン種別項目を設け、
前記番組サイン情報には、前記サイン種別項目に前記番組独自サインの種別が設定されることを特徴とする請求項１記載のデジタル放送システム。
【請求項１１】
前記テンプレートは、前記コンテンツ種別項目に、前記番組独自サインのモノメディア種別を示すモノメディア種別項目を設け、
前記番組サイン情報には、前記モノメディア種別項目に前記番組独自サインとして公開されるファイルのモノメディア種別が設定されることを特徴とする請求項１０記載のデジタル放送システム。
【請求項１２】
前記テンプレートは、前記コンテンツ種別項目に、前記番組独自サインが提示される位置を示す提示位置項目を設け、
前記番組サイン情報には、前記提示位置項目に前記番組独自サインが提示される位置情報が設定されることを特徴とする請求項１記載のデジタル放送システム。
【請求項１３】
前記テンプレートは、前記コンテンツ種別項目に、前記番組独自サインが提示されるサイズを示す提示サイズ項目を設け、
前記番組サイン情報には、前記提示サイズ項目に前記番組独自サインが提示されるサイズ情報が設定されることを特徴とする請求項１記載のデジタル放送システム。
【請求項１４】
前記テンプレートは、前記コンテンツ種別項目に、前記番組独自サインが提示されるサイズを示す提示サイズ項目を設け、
前記番組サイン情報には、前記提示サイズ項目に前記番組独自サインが提示されるサイズ情報が設定され、
前記特徴抽出部および前記比較検出部は、前記番組独自サインの再生サイズと、前記サイン情報に設定されたサイズ情報とが異なる場合に、前記サイズ情報に基づいて前記番組独自サインを拡縮することを特徴とする請求項２記載のデジタル放送システム。
【請求項１５】
前記特徴抽出部および前記比較検出部は、標準規定ＩＳＯ／ＩＥＣ  １５９３８  Information Technology − Multimedia Content Description Interfaceを適用し、前記番組独自サインの提示位置および提示サイズを検出することを特徴とする請求項２記載のデジタル放送システム。
【請求項１６】
前記特徴抽出部は、前記サーバ上に公開された番組独自サインのモノメディア種別を、放送番組に含まれる番組独自サインのモノメディア種別に一致させるモノメディア種別の変換処理を行う、あるいは放送番組に含まれる番組独自サインのモノメディア種別を、前記サーバ上に公開された番組独自サインのモノメディア種別に一致させるモノメディア種別の変換処理を行うモノメディア種別変換部を備えたことを特徴とする請求項２記載のデジタル放送システム。
【請求項１７】
前記テンプレートは、コンテンツ種別項目に、前記番組独自サインの番組データ内におけるモノメディア種別を示す放送番組内モノメディア種別項目を設け、
前記番組サイン情報には、前記放送番組内モノメディア種別項目に番組独自サインの番組データ内におけるものメディア種別が設定されることを特徴とする請求項１記載のデジタル放送システム。
【請求項１８】
前記テンプレートは、コンテンツ種別項目に、前記番組独自サインを伝送するパケットを示すパケット識別項目を設け、
前記番組サイン情報には、前記パケット識別項目に前記番組独自サインを伝送するパケットのパケット識別情報が設定されることを特徴とする請求項１記載のデジタル放送システム。
【請求項１９】
前記テンプレートは、コンテンツ種別項目に、前記番組独自サインを伝送するパケットを示すパケット識別項目と、前記番組独自サインを複数の領域に分割し、分割した領域のうち前記番組独自サインが変化しない不変領域の数を示す領域の個数項目、前記不変領域の位置項目、および前記不変領域のサイズ項目とを設け、
前記番組のサイン情報には、前記領域の個数項目に前記番組独自サインに変化が生じない不変領域の数が設定され、前記不変領域の位置項目および前記不変領域のサイズ項目の位置情報およびサイズ情報を前記不変領域の数分繰り返し設定することを特徴とする請求項１記載のデジタル放送システム。
【請求項２０】
前記テンプレートは、放送番組の番組ジャンル毎に設定することを特徴とする請求項１記載のデジタル放送システム。
【請求項２１】
前記比較部は、放送番組の番組ジャンルが異なる場合であっても、前記特徴抽出部が抽出した前記番組独自サインのコンテンツ種別と、前記再生された放送番組のコンテンツ種別が同一である場合には、同一のコンテンツとして識別することを特徴とする請求項２記載のデジタル放送システム。
【請求項２２】
前記テンプレートは、コンテンツ種別項目に、前記番組サイン情報を更新した時間情報を示す番組サイン情報更新情報項目を設け、
前記番組サイン情報には、前記番組サイン情報更新情報項目に前記番組サイン情報を作成した時間情報が設定されることを特徴とする請求項１記載のデジタル放送システム。
【請求項２３】
前記テンプレートは、コンテンツ種別項目に、前記番組サイン情報を更新した時間情報を示す番組サイン情報更新情報項目を設け、
前記番組サイン情報には、前記番組サイン情報更新情報項目に前記番組サイン情報を作成した時間情報が設定され、
前記放送受信装置は、
複数の放送番組の番組サイン情報の番組サイン情報更新情報項目を参照し、前記時間情報が更新されていた場合に、当該番組サイン情報の更新を判定する番組サイン情報更新判定処理部とを備えたことを特徴とする請求項２記載のデジタル放送システム。
【請求項２４】
前記比較部において前記番組サイン情報に基づく番組独自サインを含む映像フレームが検出されなかった場合に、前記特徴抽出部が複数放送回分の番組データから抽出した特徴データ間で、同一または類似する特徴データを検出して番組独自サイン候補とする番組独自サイン候補抽出制御部と、
前記番組独自サイン候補抽出制御部が抽出した番組独自サイン候補、および当該番組独自サイン候補を含む番組データの一部を再生してコンテンツ種別の入力を要求し、当該入力要求に基づいて入力されたコンテンツ種別において、前記番組独自サイン候補を番組独自サインとした番組サイン情報に更新し、更新後の番組サイン情報を前記サーバに格納する最新番組サイン情報生成部とを備えたことを特徴とする請求項２または請求項２３記載のデジタル放送システム。
【請求項２５】
前記テンプレートは、テンプレートを更新した時間情報を示すテンプレート更新情報項目を設け、
前記番組サイン情報には、前記テンプレート更新情報項目に前記テンプレートを新たに作成した時間情報が設定されることを特徴とする請求項１記載のデジタル放送システム。
【請求項２６】
前記サーバは、
前記テンプレートの更新または新規作成指示が入力された場合に、格納されたテンプレートを参照し、前記入力された更新または新規作成指示に該当するテンプレートが存在する場合に、当該テンプレートを更新し、前記入力された更新または新規作成指示に該当するテンプレートが存在しない場合に、テンプレートを構成する項目の選択指示を受け付け、当該選択指示された項目を備えたテンプレートを新規に作成し、前記更新または新規作成したテンプレートを格納するテンプレート作成更新処理部を備えたことを特徴とする請求項１記載のデジタル放送システム。
【請求項２７】
前記テンプレート作成更新処理部は、前記テンプレートを構成する項目の選択指示要求をＷＥＢコンテンツとして前記放送受信装置に提供することを特徴とする請求項２６記載のデジタル放送システム。
【請求項２８】
前記ネットワークに接続し、前記テンプレート作成更新処理部から提供されるＷＥＢコンテンツを提示するＷＥＢブラウザ部を搭載した情報端末を備えたことを特徴とする請求項２７記載のデジタル放送システム。
【請求項２９】
前記放送受信装置は、前記テンプレート作成更新処理部から提供されるＷＥＢコンテンツを提示するＷＥＢブラウザ部を備えたことを特徴とする請求項２７記載のデジタル放送システム。
【請求項３０】
前記サーバは、
番組サイン情報の更新または新規作成指示が入力された場合に、格納された番組サイン情報を参照し、前記入力された更新または新規作成指示に該当する番組サイン情報が存在する場合には、当該番組サイン情報を更新し、前記入力された更新または新規作成指示に該当する番組サイン情報が存在しない場合に、当該番組サイン情報に対応するテンプレートを構成する項目の選択指示を受け付け、当該選択指示された項目を備えた番組サイン情報を新規に作成し、前記更新または新規作成した番組サイン情報を格納する番組サイン情報作成更新処理部を備えたことを特徴とする請求項１または請求項２６記載のデジタル放送システム。
【請求項３１】
前記番組サイン情報作成更新処理部は、前記番組サイン情報に対応するテンプレートを構成する項目の選択指示要求をＷＥＢコンテンツとして前記放送受信装置に提供することを特徴とする請求項３０記載のデジタル放送システム。
【請求項３２】
前記ネットワークに接続し、前記番組サイン情報作成更新処理部から提供されるＷＥＢコンテンツを提示するＷＥＢブラウザ部を搭載した情報端末を備えたことを特徴とする請求項３１記載のデジタル放送システム。
【請求項３３】
前記放送受信装置は、前記番組サイン情報作成更新処理部から提供されるＷＥＢコンテンツを提示するＷＥＢブラウザ部を備えたことを特徴とする請求項３１記載のデジタル放送システム。
【発明の詳細な説明】
【技術分野】
【０００１】
この発明は、デジタル放送の放送番組に関する映像のダイジェストを生成する映像ダイジェスト機能を備えたデジタル放送システムに関するものである。
【背景技術】
【０００２】
映像数の増加に伴い、効率的な映像視聴が求められる。このためには、映像のダイジェストを視聴することが効果的である。
映像ダイジェストの生成に関して、特許文献１には、コンテンツ内で発生するイベント間の包含関係、上下関係、あるいは因果関係が少なくとも１つ付加された知識メタデータを生成し、ユーザからの問い合わせ情報に基づいて当該知識メタデータ内を検索してユーザニーズに即した映像のダイジェストを生成する構成が開示されている。
【先行技術文献】
【特許文献】
【０００３】
【特許文献１】特開２００７−２４９９０７号公報
【発明の概要】
【発明が解決しようとする課題】
【０００４】
しかしながら、上述した特許文献１に開示された技術では、放送番組毎に独自イベントであるが同一の概念である番組独自イベントに対して、番組間での同一性を認識することができないという課題があった。また、知識メタデータを生成するためには、少なくとも初回放送の映像コンテンツが蓄積されていなければならないという課題がった。
【０００５】
この発明は、上記のような課題を解決するためになされたもので、番組毎の独自サインであって、且つ同一概念となる映像ダイジェストを概念種別が同一のものとして分類および管理し、初回の番組放送から映像ダイジェストを生成するデジタル放送システムを提供することを目的とする。
【課題を解決するための手段】
【０００６】
この発明に係るデジタル放送システムは、放送番組の番組データを格納するサーバと、放送番組の放送波を受信して再生すると共に、ネットワークを介して接続されたサーバに格納された番組データを取得し、利用する放送受信装置とを備え、複数の放送番組が、それぞれ複数のコンテンツで構成されている場合に、サーバが、各放送番組の識別を示す放送番組識別項目と、各放送番組に共通するコンテンツの種別を示すコンテンツ種別項目とを備えたテンプレートと、当該テンプレートに対して、放送番組毎に放送番組識別項目に番組識別情報を設定し、コンテンツ種別項目に該当する放送番組の各コンテンツの期間を示す番組独自サインを設定した番組サイン情報とを公開し、放送受信装置が、受信した放送番組の番組情報と、サーバ上に公開された番組サイン情報とを比較し、放送番組毎にそれぞれ異なる番組独自サインに基づいてコンテンツの種別を識別し、複数の放送番組間で同一のコンテンツ種別を有する映像データを提示するものである。
【発明の効果】
【０００７】
この発明によれば、番組毎の独自サインであって、且つ同一概念となる映像ダイジェストを概念種別が同一のものとして分類し、管理することができる。これにより、初回の番組放送からリアルタイムで映像ダイジェストを生成することができる。
【図面の簡単な説明】
【０００８】
【図１】実施の形態１によるデジタル放送システムの構成を示すブロック図である。
【図２】放送番組の編成例を示す説明図である。
【図３】実施の形態１によるデジタル放送システムの放送番組の各種情報で構成されるテンプレートを示す図である。
【図４】図３に示したテンプレートの記載例を示す図である。
【図５】実施の形態１による放送受信装置の構成を示すブロック図である。
【図６】実施の形態１による放送受信装置のダイジェスト視聴動作を示したフローチャートである。
【図７】実施の形態１による放送受信装置のダイジェスト視聴指示付き録画予約の動作を示すフローチャートである。
【図８】実施の形態１による放送受信装置の番組サイン情報の解析処理を示すフローチャートである。
【図９】実施の形態１による放送受信装置のダイジェスト視聴に該当する放送番組の放送開始直前の動作を示すフローチャートである。
【図１０】実施の形態１による放送受信装置のダイジェスト映像クリップ生成処理を示すフローチャートである。
【図１１】実施の形態１による放送受信装置の開始／終了点判定部の動作を示すフローチャートである。
【図１２】実施の形態１による放送受信装置のダイジェスト映像クリップの再生処理を示すフローチャートである。
【図１３】実施の形態１による放送受信装置の開始／終了点判定部の判定処理を示す説明図である。
【図１４】実施の形態１による放送受信装置の他のテンプレートおよびその記載例を示す説明図である。
【図１５】実施の形態１による放送受信装置の他のテンプレートおよびその記載例を示す説明図である。
【図１６】実施の形態２による放送受信装置の放送番組の各種情報で構成されるテンプレートを示す図である。
【図１７】図１６に示したテンプレートにおける項目「条件種別」の設定例を示す図である。
【図１８】図１６に示したテンプレートにおける項目「条件」の設定例を示す図である。
【図１９】図１６に示したテンプレートの記載例を示す図である。
【図２０】実施の形態２による放送受信装置のダイジェスト映像クリップ生成処理を示すフローチャートである。
【図２１】実施の形態２による放送受信装置の開始／終了点判定部の動作を示すフローチャートである。
【図２２】実施の形態２による放送受信装置の放送番組の各種情報で構成されるテンプレートを示す図である。
【図２３】実施の形態３による放送受信装置の放送番組の各種情報で構成されるテンプレートを示す図である。
【図２４】図２３に示したテンプレートの記載例を示す図である。
【図２５】実施の形態３の放送受信装置のダイジェスト機能部の構成を示すブロック図である。
【図２６】実施の形態３による放送受信装置が切出すサイン画像の表示例を示す図である。
【図２７】実施の形態３による放送受信装置の放送番組の各種情報で構成されるテンプレートとその記載例を示す図である。
【図２８】実施の形態３の放送受信装置のダイジェスト機能部のその他の構成を示すブロック図である。
【図２９】実施の形態３による放送受信装置のサイン領域の切出しの概念を示す図である。
【図３０】実施の形態３による放送受信装置の放送番組の各種情報で構成されるその他のテンプレートを示す図である。
【図３１】番組独自サインとしてインターネット公開された画像の一部が可変である場合の概念を示す図である。
【図３２】実施の形態４による放送受信装置の放送番組の各種情報で構成されるテンプレートを示す図である。
【図３３】実施の形態４による放送受信装置のダイジェスト機能部の構成を示すブロック図である。
【図３４】実施の形態４による放送受信装置のテンプレートの更新を示す説明図である。
【図３５】実施の形態４による放送受信装置の再生画面を示す説明図である。
【図３６】実施の形態５による放送受信装置の放送番組の各種情報で構成されるテンプレートを示す図である。
【図３７】実施の形態５によるサーバの構成を示すブロック図である。
【図３８】実施の形態６による放送受信装置の構成を示すブロック図である。
【図３９】実施の形態６によるサーバの構成を示すブロック図である。
【図４０】実施の形態６による放送受信装置のテンプレート作成・更新画面を示す図である。
【図４１】実施の形態６による放送受信装置のテンプレート作成画面を示す図である。
【図４２】実施の形態６による放送受信装置のテンプレート作成画面を示す図である。
【図４３】実施の形態６による放送受信装置のテンプレート作成画面を示す図である。
【図４４】実施の形態６による放送受信装置のテンプレート更新画面を示す図である。
【図４５】実施の形態６による放送受信装置のテンプレート更新画面を示す図である。
【図４６】実施の形態７によるサーバの構成を示すブロック図である。
【図４７】実施の形態７による放送受信装置の番組サイン情報作成・更新画面を示す図である。
【図４８】実施の形態７による放送受信装置の番組サイン情報作成・更新画面を示す図である。
【図４９】実施の形態７による放送受信装置の番組サイン情報作成・更新画面を示す図である。
【図５０】実施の形態７による放送受信装置の番組サイン情報作成・更新画面を示す図である。
【発明を実施するための形態】
【０００９】
実施の形態１．
図１は、この発明の実施の形態１によるデジタル放送システムの構成を示すブロック図である。
図１に示すように、デジタル放送システムは、デジタル放送番組を放送する放送局１０、デジタル放送番組を視聴する住宅２０内に設置された放送受信装置３０、放送局１０と放送受信装置３０を通信接続するインターネット２３、各種データを配信するサーバ４０で構成されている。
さらに詳しく説明すると、放送局１０は、制作したデジタル放送番組をメディア符号化後、トランスポートストリーム（以下、ＴＳと称する）多重され、さらに伝道路符号化された後、送信アンテナ１１からデジタル放送波１２として放送される。
【００１０】
住宅２０では、視聴者がデジタル放送番組を視聴する際に放送受信機装置３０の電源を入れてチャンネル選局することにより、受信アンテナ２１を介してデジタル放送波１２を受信し、伝送路複合、ＴＳ分離、およびメディア復号されてモニタ（不図示）に映像が表示、およびスピーカ（不図示）に音声が出力される。
【００１１】
また、デジタル放送番組はデータ放送が行われており、例えばデジタル放送番組がクイズ番組の場合、視聴者がリモコンなどの入力手段を介して視聴者回答を入力すると、住宅２０内に設置されたＨＵＢ２２を介してインターネット２３に接続し、放送局１０側に視聴者回答を送信することが可能である。この場合、サーバ４０内に視聴者回答データなどの各種データを集約すると共に、各種データを配信する。なお、各種データの送受信は、サーバ４０内に設けられたＬＡＮ処理部４１によって行われる。
【００１２】
ところで、放送局では視聴者により良い放送番組を提供するため、綿密な番組編成を行っている。例えばニュース番組では、わかり易く視聴者に伝えるための工夫として、トップニュースや天気予報などといった話題（コンテンツ）の直前に、画像や音声、アナウンサーのジェスチャーといったサインを毎回設けることにより、次の話題の種別を端的に示している。これらのサインは、異なる放送局では異なるサインであり、さらに同一放送局であっても番組毎に異なる場合が多い。このように多様なサインであっても、視聴中の番組の次の話題の種類を視聴者が端的に認識できるように工夫されている。その一例を図２に示す。
【００１３】
図２は、放送番組の編成例を示す説明図であり、具体的には放送局毎に各放送番組で提示されるサインを示している。
まず、図２（ａ）を参照しながらニュース番組である「番組−あ」および「番組−い」について説明する。「番組−あ」では「話題Ａ−あ−１」開始直前に「メロディ−あ−１」が鳴動し、「話題Ａ−あ−２」開始直前に「メロディ−あ−２」が鳴動する。また「番組−い」では「話題Ａ−い−１」開始直前に「画像１」が画面左上表示され、「話題Ａ−い−２」開始直前に「画像２」が画面左上に表示される。
【００１４】
図２（ｂ）の「番組−ア」では「話題Ｂ−ア−１」開始直前に「画像１」が画面右下に表示され、「話題Ｂ−ア−２」開始直前に「画像２」が画面右下に表示される。また「番組−イ」では「話題Ｂ−イ−１」開始直前に「Ｔｏｐ  Ｎｅｗｓ」という文字を描いた画像が画面全体に表示され、「話題Ｂ−イ−２」開始直前に「２ｎｄ  Ｎｅｗｓ」という文字を描いた画像が画面全体に表示される。
【００１５】
図３は、実施の形態１によるデジタル放送システムの放送番組の各種情報で構成されるテンプレートを示す図であり、ニュース番組のテンプレートを示している。
基本情報（放送番組識別項目）は、適用番組ジャンルの種類によらず同一の部分であり、含まれる項目は放送波に多重される番組を識別するための最小限の情報で、（社）電波産業会  ＳＴＤ−Ｂ１０「デジタル放送に使用する番組配列情報」に従う放送網種別情報、チャンネル識別情報、番組識別情報である。
特徴的サイン情報（コンテンツ種別項目）は、適用番組ジャンルに一般的に含まれる話題種別を示すものであり、適用番組ジャンルによって異なるものである。図３に示した一例では、トップニュース（１番目に重要なニュース）、２番目に重要なニュースと、以降数個の重要度付けされたニュースがあり、その他、スポーツや気象情報、その他一般の話題種別で構成されている。
【００１６】
図４は、図３に示したテンプレートの記載例を示す図であり、図２に示した放送番組について記載した例を示している。
図４（ａ）は、図２（ａ）のＡ放送局の「番組−あ」に関する番組サイン情報を入力した場合を示している。
Ａ放送局の「番組−あ」の作成者がサーバ４０に保管されている適用番組ジャンルが「ニュース番組」のテンプレートを取得し、取得したテンプレートにおいて基本情報の放送網種別に“地上デジタル放送”、チャンネル識別にはＡ放送局に与えられた“１０１”、番組識別にはＡ放送局において「番組−あ」に与えられた“１９０００１”を入力する。また、特徴的サイン情報として、トップニュースに「メロディ−あ−１」の格納先ＵＲＩ（Uniform Resource Identifier）、２ｎｄ  ニュースに「メロディ−あ−２」の格納先ＵＲＩを入力する。なお、「Ａ放送局  番組−あ」ではスポーツ情報、気象情報、その他一般情報に対するサインを用意していないため入力値はない。
【００１７】
同様に、図２（ａ）のＡ放送局の「番組−い」の放送番組について図４（ｂ）の番組サイン情報を作成し、図２（ｂ）のＢ放送局の「番組−ア」の放送番組について図４（ｃ）の番組サイン情報を作成し、図２（ｂ）のＢ放送局の「番組−イ」の放送番組について図４（ｄ）の番組サイン情報を作成する。作成された図４（ａ）から図４（ｄ）の番組サイン情報は、サーバ４０に保管される。
【００１８】
次に、本願発明の特徴的な構成である、作成された番組サイン情報を用いて放送番組の映像ダイジェストを生成する構成について説明する。
図５は、実施の形態１によるデジタル放送システムの放送受信装置の構成を示すブロック図である。
放送受信装置３０は、大きく分けて、受信アンテナ２１から受信される放送番組を録画再生する放送番組録画再生部５０と、インターネット２３との通信を処理するＬＡＮ処理部２４と、サーバ４０に保管された番組サイン情報を取得し、解析してダイジェスト一覧を表示させるための番組サインに従って処理を行うダイジェスト機能部７０で構成されている。
【００１９】
放送番組録画再生部５０は、復号分離部５１、番組配列情報処理部５２、録画処理部５３、再生処理部５４、録画データ格納領域５５、モノメディア分離部５６、音声デコーダ部５７、動画デコーダ部５８、データ放送ブラウザ部５９および映像音声出力部６０で構成されている。
復号分離部５１は、受信アンテナ２１で受信した放送番組の伝送路符号化の復号と番組多重化データの分離を行う。番組配列情報処理部５２は、分離された番組データから、常時番組配列情報を取得し、更新する処理を行う。録画処理部５３は、放送番組の録画予約を行うと共に、分離された番組データの録画を行う。再生処理部５４は、分離された番組データを再生する。録画データ格納領域５５は、録画処理部５３が録画を行った番組データを蓄積する記憶領域である。
【００２０】
モノメディア分離部５６は、番組データを、音声符号化データ、動画符号化データおよびデータ放送データに分離する。音声デコーダ部５７は、音声符号化データを復号する動画デコーダ部５８は、動画符号化データを復号する。データ放送ブラウザ部５９は、データ放送データをブラウジング（インターネット２３を介して探索／検索）する。映像音声出力部６０は、例えばモニタやスピーカなどで構成され、復号された音声データおよび動画データを音声出力およびモニタ表示する。
【００２１】
ダイジェスト機能部７０は、番組サイン情報パーサ７１、サイン種別判定処理部７２、特徴抽出部７３、比較検出部７４、番組サイン情報・特徴データ格納領域７５、話題開始／終了点判定部７６、ダイジェスト映像切出処理部７７およびダイジェスト一覧表示制御部７８で構成されている。
番組サイン情報パーサ７１は、ＬＡＮ処理部２４を経由して取得したサイン情報を種類別に振り分ける。サイン種別判定処理部７２は、種類別に振り分けられたサイン情報のうち、番組独自サインのサイン種別を判別する。特徴抽出部７３は、サイン種別毎に、当該サインと、番組データから特徴データを抽出する。また、特徴抽出部７３は、音声特徴抽出部７３ａ、動画特徴抽出部７３ｂ、静止画・グラフィックス特徴抽出部７３ｃおよびジェスチャー特徴抽出部７３ｄなどを備え、音声の特徴抽出を行う場合には音声特徴抽出部７３ａに対して特徴抽出依頼を出力する、など対応する特徴抽出手段を用いて特徴抽出を行う。
【００２２】
比較検出部７４は、特徴データを比較して番組サインが提示された箇所を特定する。また、比較検出部７４は、音声比較検出部７４ａ、動画比較検出部７４ｂ、静止画・グラフィックス比較検出部７４ｃおよびジェスチャー比較検出部７４ｄなどを備え、対応する比較検出手段を用いて番組独自サインから抽出された特徴データ群と、放送番組の特徴データとを比較する。番組サイン情報・特徴データ格納領域７５は、番組サイン情報と、特徴抽出部７３が番組独自サインから抽出した特長データを格納する記憶領域である。話題開始／終了点判定部７６は、所定の話題の開始点および終了点（コンテンツの区間）を判断する。ダイジェスト映像切出処理部７７は、開始点および終了点から所定の話題のダイジェスト映像を切り出す。ダイジェスト一覧表示制御部７８は、例えばダイジェスト映像を「本日のトップニュース一覧」として複数のニュース番組のトップニュースを一覧表示するなどの、ダイジェスト映像のレイアウトなどの表示制御を行う。
【００２３】
次に、放送受信装置３０の動作について説明する。まず、放送受信装置３０全体として、ダイジェスト視聴動作について説明する。
図６は、実施の形態１による放送受信装置のダイジェスト視聴動作を示したフローチャートである。
放送受信装置３０の放送番組録画再生部５０にダイジェスト視聴指示が入力されると（ステップＳＴ１）、放送番組録画再生部５０においてダイジェスト視聴指示付き録画予約を実行する（ステップＳＴ２）。次に、放送番組録画再生部５０からダイジェスト視聴指示の入力が通知されたダイジェスト機能部７０において、番組サイン情報の解析を行う（ステップＳＴ３）。ダイジェスト視聴に該当する放送番組の放送開始直前に、放送番組録画再生部５０およびダイジェスト機能部７０において準備処理を実施する（ステップＳＴ４）と共に、放送番組の放送が開始するとダイジェスト映像クリップを生成する処理を行う（ステップＳＴ５）。ダイジェスト再生指示が入力されると、ダイジェスト一覧を表示し、ダイジェスト映像クリップの動画再生が行われ（ステップＳＴ６）、処理を終了する。
【００２４】
次に、図６のフローチャートで示した各処理動作の詳細について説明する。まず、ステップＳＴ１，２のダイジェスト視聴指示付き録画予約の詳細について説明する。図７は、実施の形態１による放送受信装置のダイジェスト視聴指示付き録画予約の動作を示すフローチャートである。
ユーザが、放送受信装置３０に対象番組情報を含む番組間のダイジェストを視聴する（以下、ダイジェスト視聴と称する）指示を入力すると（ステップＳＴ１１）、まず当該指示が放送番組録画再生部５０に通知され、当該放送番組録画再生部５０の録画処理部５３において、ダイジェスト視聴指示付きの録画予約指示であると認識する（ステップＳＴ１２）。さらに録画処理部５３は、番組配列情報処理部５２から該当する放送番組の録画に必要な番組配列情報を取得し（ステップＳＴ１３）、録画予約リストに該当する放送番組のダイジェスト視聴指示付き録画予約を追加する（ステップＳＴ１４）。さらに録画処理部５３は、ダイジェスト機能部７０に対して該当する放送番組の放送網識別、チャンネル識別、および番組識別を付したダイジェスト視聴指示を出力する（ステップＳＴ１５）。その後フローはステップＳＴ３へ進む。
【００２５】
次に、ステップＳＴ３の番組サイン情報の解析の詳細について説明する。図８は、実施の形態１による放送受信装置の番組サイン情報の解析処理を示すフローチャートである。
ダイジェスト機能部７０の番組サイン情報パーサ７１は、上述したステップＳＴ１５で出力されたダイジェスト視聴指示を受信すると（ステップＳＴ２１）、ダイジェスト視聴指示に付加された放送網識別、チャンネル識別、および番組識別に基づいて該当する放送番組の番組サイン情報取得要求を生成し、ＬＡＮ処理部２４、ＨＵＢ２２およびインターネット２３を介してサーバ４０に出力する（ステップＳＴ２２）。ステップＳＴ２２で出力した番組サイン情報取得要求に対応した指定放送番組の番組サイン情報が、サーバ４０から返信される（ステップＳＴ２３）。ステップＳＴ２３で返信された番組サイン情報は、番組サイン情報・特徴データ格納領域７５に格納される（ステップＳＴ２４）と共に、番組サイン情報パーサ７１に入力され、記述内容の解析が開始される（ステップＳＴ２５）。
【００２６】
番組サイン情報の解析について、図４（ａ）に示した番組サイン情報も参照しながら説明を行う。
まず、ダイジェスト機能部７０の番組サイン情報パーサ７１は、入力された番組サイン情報を構成する基本情報を参照し、「Ａ放送局  番組−あ」の番組サイン情報であることを特定し（ステップＳＴ２６）、さらに番組サイン情報を構成する特徴的サイン情報の各項目に記載された番組独自サイン格納ＵＲＩ（例えば、“html://tv.A.jp/aaa/top.aac”）を読み出し、当該ＵＲＩに格納されたファイルの取得要求を生成し、ＬＡＮ処理部２４およびＨＵＢ２２を介してサーバ４０に出力する（ステップＳＴ２７）。ステップＳＴ２７で出力したファイルの取得要求に対応したＵＲＩ（例えば、“html://tv.A.jp/aaa/top.aac”）のファイルが、サーバ４０から返信される（ステップＳＴ２８）。番組サイン情報パーサ７１は、ステップＳＴ２８で返信されたファイルを「Ａ放送局  番組−あ」の番組サイン情報と関連付けて番組サイン情報・特徴データ格納領域７５に格納する（ステップＳＴ２９）。さらに番組サイン情報パーサ７１は、ステップＳＴ２９において格納した「Ａ放送局  番組−あ」の番組サイン情報の番組サイン情報・特徴データ格納領域７５における格納アドレスを付加したサイン種別判別指示を生成し、サイン種別判定処理部７２に出力する（ステップＳＴ３０）。
【００２７】
サイン種別判定処理部７２は、ステップＳＴ３０で出力されたサイン種別判別指示に付加された格納アドレスに基づいて番組サイン情報・特徴データ格納領域７５に格納された「Ａ放送局  番組−あ」の番組サイン情報を参照し、特徴的サイン情報のＵＲＩのファイル拡張子を参照してサイン種別の判定を行う（ステップＳＴ３１）。ＵＲＩが例えば“html://tv.A.jp/aaa/top.aac”の場合、ファイル拡張子が“．ａａｃ”であり、且つＵＲＩに対応するファイルを解析してＡＡＣ音声ストリームを示す情報を確認し、サイン種別がＡＡＣ音声であると判定する。
【００２８】
サイン種別判定処理部７２は、ステップＳＴ３１で判定したサイン種別の特徴抽出を指示する特徴抽出指示を生成し、番組サイン情報・特徴データ格納領域７５における格納アドレスを付加して特徴抽出部７３に出力する（ステップＳＴ３２）。具体的には、ステップＳＴ３１で判定したＡＡＣ音声の特徴抽出指示を出力する。
【００２９】
特徴抽出部７３は、ステップＳＴ３２で通知された特徴抽出指示に付加された格納アドレスに基づいて、番組サイン情報・特徴データ格納領域７５に格納された「Ａ放送局  番組−あ」の番組サイン情報のファイルを取得し、内蔵する音声特徴抽出部７３ａにおいて音声の特徴抽出を行い、抽出した特徴データを番組独自サインのファイルに関連付けて番組サイン情報・特徴データ格納領域７５に格納する（ステップＳＴ３３）。その後、ダイジェスト視聴に該当する全ての放送番組および話題について処理が行われたか否か判定し（ステップＳＴ３４）、行われていないと判定された場合（ステップＳＴ３４；ＮＯ）、ステップＳＴ２６の処理に戻り、上述した処理を繰り返す。一方、全ての放送番組および話題について処理が行われていると判定された場合（ステップＳＴ３４；ＹＥＳ）、処理を終了する。
【００３０】
次に、ステップＳＴ４の放送番組の放送開始直前の準備処理の詳細について説明する。図９は、実施の形態１による放送受信装置のダイジェスト視聴に該当する放送番組の放送開始直前の動作を示すフローチャートである。
放送番組録画再生部５０の録画処理部５３は、番組配列情報処理部５２から対象となる放送番組の放送時刻に変更がないことを確認し（ステップＳＴ４１）、対象となる放送番組の番組データとその付加情報を格納する録画データ格納領域５５内のアドレスを決定する（ステップＳＴ４２）。さらに録画処理部５３は、再生処理部５４に対して、番組データの格納先頭アドレス、および出力先をダイジェスト機能部７０の特徴抽出部７３とした再生準備指示を出力する（ステップＳＴ４３）。さらに、録画処理部５３は、ダイジェスト機能部７０に対して、対象となる放送番組の付加データを格納する録画データ格納領域５５内のアドレスを含む処理準備指示を出力する（ステップＳＴ４４）。
【００３１】
ダイジェスト機能部７０は、ステップＳＴ４４の処理準備指示が入力されると、特徴抽出部７３および比較検出部７４に対して対象となる放送番組の処理開始準備指示を出力する（ステップＳＴ４５）。さらにダイジェスト機能部７０は、放送番組録画再生部５０の音声デコーダ部５７、動画デコーダ部５８およびデータ放送ブラウザ部５９に対して出力先として、それぞれ特徴抽出部７３の音声特徴抽出部７３ａ、動画特徴抽出部７３ｂおよび静止画・グラフィックス特徴抽出部７３ｃを指定する（ステップＳＴ４６）。さらにダイジェスト機能部７０は、話題開始／終了点判定部７６に対して対象となる放送番組の付加データを格納する録画データ格納領域５５内のアドレスを通知する（ステップＳＴ４７）。また、ステップＳＴ４５で処理開始準備指示が入力された比較検出部７４は、番組サイン情報・特徴データ格納領域７５から対象となる放送番組を構成する各話題の番組独自サインから抽出された特徴データを取得し（ステップＳＴ４８）、処理を終了する。
【００３２】
次に、ステップＳＴ５のダイジェスト映像クリップ生成処理の詳細について説明する。図１０は、実施の形態１による放送受信装置のダイジェスト映像クリップ生成処理を示すフローチャートである。なお、具体例を挙げて説明する場合には、放送波から分離された「Ａ放送局  番組−あ」の番組放送データを例に説明を行う。
放送番組の放送が開始されると、録画処理部５３は復号分離部５１において放送波から分離された対象となる放送番組データを録画データ格納領域５５に格納すると共に（ステップＳＴ５１）、再生処理部５４に対して再生処理開始指示を出力する（ステップＳＴ５２）。再生処理部５４は、ステップＳＴ５２で出力された再生処理開始指示に基づいて、上述した図９のステップＳＴ４３の再生準備指示で指定された録画データ格納領域５５のアドレスから対象となる放送番組の番組データを読み出し、モノメディア分離部５６に出力する（ステップＳＴ５３）。モノメディア分離部５６は、番組データを音声データ、動画データ、放送データに分離し（ステップＳＴ５４）、各分離データはそれぞれ対応する音声デコーダ部５７、動画デコーダ部５８、データ放送ブラウザ部５９に出力され、当該出力先においてデコードされ、デコード済み各データが上述した図９のステップＳＴ４６で指定された出力先に出力される（ステップＳＴ５５）。
【００３３】
さらに録画処理部５３は、ステップＳＴ５２からステップＳＴ５５の処理と平行して、ダイジェスト機能部７０に対して、対象となる放送番組の処理開始指示を出力する（ステップＳＴ５６）。ダイジェスト機能部７０の特徴抽出部７３は、放送番組録画再生部５０から入力されたデコード済みデータから特徴データを抽出し、抽出した特徴データをサイン種別情報と共に番組サイン情報・特徴データ格納領域７５に格納する（ステップＳＴ５７）。特徴抽出部７３は、ステップＳＴ５７における特徴データ格納先アドレスを比較検出部７４に通知する（ステップＳＴ５８）。
【００３４】
ステップＳＴ５８でアドレスが通知された比較検出部７４は、通知された特徴データ格納先アドレスを用いて特徴データとサイン種別情報を取得し、サイン種別に基づいて番組独自サインから抽出された特徴データ群と放送番組の特徴とを比較し、相当あるいは近似するデータを検索する（ステップＳＴ５９）。ステップＳＴ５９の検索結果は、番組サイン情報・特徴データ格納領域７５内の対応する格納先に追加記録し、話題開始／終了点判定部７６に当該格納先を示した開始／終了点判定処理指示を出力する（ステップＳＴ６０）。
【００３５】
ステップＳＴ５９およびステップＳＴ６０の処理を、具体例を用いて説明すると、例えば「Ａ放送局  番組−あ」のトップニュースの場合には、“html://tv.A.jp/aaa/top.aac”つまり「メロディ−あ−１」の特徴データに相当あるいは近似する音声が鳴動開始したフレームが検出されると、番組サイン情報・特徴データ格納領域７５の「Ａ放送局  番組−あ」トップニュース用の一時的格納先に番組サイン提示タイミング情報と番組先頭から当該サイン鳴動開始までのフレーム数とを追加記録し、話題開始／終了点判定部７６に当該記録格納アドレスを示した開始／終了点判定処理指示を出力する。
【００３６】
その後、録画処理部５３はダイジェスト視聴に該当する全ての放送番組および話題について処理が行われたか否か判定を行い（ステップＳＴ６１）、行われていないと判定された場合（ステップＳＴ６１；ＮＯ）、ステップＳＴ５２およびステップＳＴ５６の処理に戻り、上述した処理を繰り返す。一方、全ての放送番組および話題について処理が行われていると判定された場合（ステップＳＴ６１；ＹＥＳ）、話題開始／終了点判定部７６の動作に移行する。
【００３７】
図１１は、実施の形態１による放送受信装置の開始／終了点判定部の動作を示すフローチャートである。また、この話題開始／終了点判定部７６の動作は、図１３の具体例を参照しながら説明を行う。
まず図１３（ａ）に示す「Ａ放送局  番組−あ」であるトップニュースの話題の開始点および終了点の判定処理について説明する。
話題開始／終了点判定部７６は、トップニュースに対応する番組独自サインである「メロディ−あ−１」の鳴動が開始したフレームをトップニュースの開始点とし、当該「Ａ放送局  番組−あ」の先頭からのフレーム数を算出する（ステップＳＴ７１）。話題開始／終了点判定部７６は、録画データ格納領域５５内で指定された「Ａ放送局  番組−あ」に対応する付加情報格納アドレスに、話題種別情報を「トップニュース」とした開始点および終了点のフレーム番号を格納する（ステップＳＴ７２）。
【００３８】
さらに話題開始／終了点判定部７６は、トップニュースの開始点のフレームを再生した出力を静止画サムネイルファイルとして動画デコーダ部５８に格納する（ステップＳＴ７３）。これにより、ユーザからダイジェスト再生指示が入力されると、各話題を話題種別毎に映像クリップとして（図１３（ｂ）参照）、容易に読み出すことができる。
【００３９】
話題開始／終了点判定部７６は、ダイジェスト視聴に該当する１つの放送番組を構成する全ての話題について、上述した開始点および終了点の判定処理を行ったか否か判定を行う（ステップＳＴ７４）。全ての話題について処理が行われていない場合（ステップＳＴ７４；ＮＯ）、ステップＳＴ７１の処理に戻り、上述した処理を繰り返す。一方、全ての話題について処理が終了したと判定された場合（ステップＳＴ７４；ＹＥＳ）、話題開始／終了点判定部７６は、ダイジェスト一覧表示制御部７８に対して録画データ格納領域５５内の各番組の付加情報格納アドレスを通知する（ステップＳＴ７５）。その後話題開始／終了点判定部７６はさらに、ダイジェスト視聴に該当する全ての放送番組について上述した開始／終了点の判定処理を行ったか否か判定を行う（ステップＳＴ７６）。全ての放送番組について処理が行われていない場合（ステップＳＴ７６；ＮＯ）、ステップＳＴ７１の処理に戻り、上述した処理を繰り返す。一方、全ての放送番組について処理が終了したと判定された場合（ステップＳＴ７６；ＹＥＳ）、処理を終了する。
【００４０】
なお、ステップＳＴ７５で各番組の付加情報格納アドレスが通知されたダイジェスト一覧表示制御部７８は、ダイジェスト視聴の対象となる全ての番組について、話題種別で話題を識別し、各話題について放送番組先頭からのフレーム数を確認し、図１３（ｃ）に示すように話題種別毎に整理しておく。
【００４１】
次に、ステップＳＴ６のダイジェスト映像クリップの再生処理の詳細について説明する。図１２は、実施の形態１による放送受信装置のダイジェスト映像クリップの再生処理を示すフローチャートである。
ユーザからダイジェスト再生指示が入力されると（ステップＳＴ８１）、ダイジェスト一覧表示制御部７８は、録画データ格納領域５５から、ダイジェスト再生指示に該当する話題の静止画サムネイルファイルを読み出し、あらかじめ決定された画像レイアウトに従って、ダイジェスト映像の静止画サムネイルの一覧が映像音声出力部６０に表示される（ステップＳＴ８２）。映像音声出力部６０に表示されるダイジェストの一覧表示例を図１３（ｄ）に示している。
【００４２】
映像音声出力部６０がタッチパネルで構成されている場合、図１３（ｄ）に示すダイジェスト一覧では、表示された各静止画サムネイルが選択ボタンの機能を有し、ユーザがダイジェスト一覧から機能する１つの静止画サムネイルを選択すると（ステップＳＴ８３）、当該選択指示はダイジェスト一覧表示制御部７８に通知され、ダイジェスト一覧表示制御部７８は、ダイジェスト映像切出処理部７７に対して、選択された静止画サムネイルに対応する話題を含む番組データの格納アドレスと、話題種別を指定した話題再生開始指示を出力する（ステップＳＴ８４）。
【００４３】
ダイジェスト映像切出処理部７７は、ステップＳＴ８４の話題再生開始指示に基づいて、録画データ格納領域５５に格納された対応する番組の付加情報を参照して該当する話題の開始／終了点を取得する（ステップＳＴ８５）。さらにダイジェスト映像切出処理部７７は、対応する話題の番組データの出力先を映像音声出力部６０とした再生指示を音声デコーダ部５７および動画デコーダ部５８に出力する（ステップＳＴ８６）。これにより、ユーザが選択したダイジェスト映像クリップの動画再生が実行され（ステップＳＴ８７）、処理を終了する。
【００４４】
なお、選択された話題のダイジェスト映像クリップの動画再生において、映像音声出力部６０のモニタ内の領域を指定する場合、ダイジェスト一覧表示制御部７８において位置および大きさを決定し、ダイジェスト映像切出処理部７７を経由して動画デコーダ部５８に指定することにより実現してもよい。
例えば、放送受信装置３０が高機能であり動画を複数同時に再生可能である場合に、当該方法を用いて、選択ボタンを静止画サムネイルではなく、動画サムネイルとして提示するように構成してもよい。また、各話題について数秒間のみサムネイル領域を静止画から動画に変更可能とし、順次異なるサムネイルが動画再生されるように構成してもよい。また、ユーザからダイジェスト再生指示が入力された際、ダイジェスト一覧画面を表示する場合を例に説明したが、生成したダイジェスト映像クリップを順次再生するように構成してもよい。これらの構成は、実施の形態２以降のその他の実施の形態においても適用可能である。
【００４５】
また、上述した説明では、放送番組を話題種別に応じて分類し、ダイジェスト一覧を表示する場合を例に説明したが、当該分類方法に従う種別であれば適宜変更可能であり、俳優や、１つの事件に関する話題を全局全番組分集めるように構成してもよい。また、テンプレートおよび番組サイン情報の図中でトップニュースの項目に対し、付加情報を追加する構成を示したが、以下のニュース項目や、スポーツ項目などの他の項目も同様に特徴的サイン情報を記載することも可能である。また、テンプレートおよび番組情報を表形式で表す場合を例に示したが、ＸＭＬ（Extensible Markup Language, W3C Recommendation）形式などの一般的なデータ構造を利用して表してもよい。これらの構成は、実施の形態２以降のその他の実施の形態においても適用可能である。
【００４６】
また、上述した説明では、実際の放送番組の番組独自サインの登場順序について言及しなかったが、ＸＭＬ形式データ構造の場合、番組サイン情報において番組独自サインの登場順序に従って各項目を列挙し、番組サイン情報内項目順が登録順に実際の放送番組に登場することを示すためのフラグ項目をテンプレートに追加するように構成してもよい。また、話題の終了点を次の話題の番組独自サインが開始される１フレーム前として検出する構成を示したが、例えば次の話題の番組独自サインが登場せず、コマーシャルコンテンツになった場合は、コマーシャルコンテンツが開始される１フレーム前を、且つ次の話題の番組独自サインが登場せず、放送番組が終了となった場合には終了となったフレームを、それぞれ当該話題の終了点として検出するように構成してもよい。これらの構成は、実施の形態２以降のその他の実施の形態においても適用可能である。
【００４７】
また、上述した説明では、ユーザが録画予約を行う場合を例に示したが、例えば全番組録画する場合や、ユーザの視聴履歴から放送受信装置３０が推薦する番組を選択して録画予約する場合であってもよく、録画予約の方法には限定されない。また、録画番組の付加データとして、番組サイン情報から取得した各話題の種別および開始／終了点の情報を追加して格納するのみについて説明したが、ユーザからの入力を追加して格納可能とし、ユーザ入力情報に従ってダイジェスト一覧およびダイジェスト映像クリップが再生可能に構成してもよい。これらの構成は、実施の形態２以降のその他の実施の形態においても適用可能である。
【００４８】
また、上述した説明では、番組独自サインのファイルを確認し、当該ファイルのモノメディア種別を求める構成を示したが、図１４（ａ）に示すテンプレートのように各番組独自サインの属性として項目「サイン種別」を追加して設け、図１４（ｂ）に示すように当該項目「サイン種別」に番組独自サインのモノメディア種別を示すように構成してもよい。この場合の放送受信装置３０は、図５で示したブロック図におけるサイン種別判定処理部７２が不要となる。これは、番組サイン情報パーサ７１において番組サイン情報に記述されるサイン種別を取得するためである。
【００４９】
さらに、図１５（ａ）に示すテンプレートのように、番組独自サインの属性としてさらに項目「サイン公開モノメディア種別」および項目「サイン放送時モノメディア種別」を追加して設け、図１５（ｂ）に示すように項目「サイン種別」に番組独自サインのサイン種別を、項目「サイン公開モノメディア種別」に番組独自サインが公開されているファイルのモノメディア種別を、項目「サイン放送時モノメディア種別」に実際に放送される場合のモノメディア種別をそれぞれ示すように構成してもよい。この場合は図５で示したブロック図が適用され、且つサイン公開ファイルのモノメディア種別がＭＰＥＧ−２  Ｖｉｄｅｏであるが、サイン種別がジェスチャーという場合に対応可能となる。
【００５０】
さらに、番組独自サインとして音声ファイルや画像ファイルを利用した例を示したが、ＭＰＥＧ７（ＩＳＯ／ＩＥＣ  １５９３８  Information Technology − Multimedia Content Description Interface）で規定される特徴記述やＳｉｇｎａｔｕｒｅなど、当該メディアデータから抽出された特徴量を示す情報を利用するものであってもよい。この場合、項目「サイン種別」において利用した方式種別を示せばよく、事前準備における公開された番組独自サインのファイルから特徴抽出を行う処理は不要となる。図１４および図１５で示したこれらの構成は、実施の形態２以降のその他の実施の形態においても適用可能である。
【００５１】
以上のように、この実施の形態１によれば、複数の放送番組間で共通する概念をまとめたテンプレートを準備し、放送番組毎に当該テンプレートに番組独自サインの情報を入力した番組サイン情報をあらかじめ準備してサーバ４０に公開するように構成したので、複数の番組間で異なる番組独自サインに基づいて、概念種別が同一の映像ダイジェストを分類し、管理することができる。これにより、放送受信装置３０において初回の番組放送からリアルタイムで映像ダイジェストを生成することができる。
【００５２】
また、この実施の形態１によれば、サーバ４０上に格納された番組サイン情報を取得して、当該番組サイン情報の解析を行う番組サイン情報パーサ７１と、番組独自サインの種別を判定するサイン種別判定処理部７２と、番組独自サインおよび放送番組データから各放送番組の特徴を抽出する特徴抽出部７３と、特徴抽出部７３が抽出した各放送番組の特徴と、放送番組データの特徴とを比較し、所定の番組独自サインを含むフレームを検出する比較検出部７４とを備えるように構成したので、複数の番組間で異なる番組独自サインの種別を判定し、同一の特徴を有する概念種別が同一の映像ダイジェストを分類し、ダイジェスト映像クリップを生成することができる。
【００５３】
実施の形態２．
上述した実施の形態１では、テンプレートおよび番組サイン情報において、番組独自の特徴的サインのみを示し、特徴的サインから次の番組の特徴的サインまでを１つの話題として扱う構成を示したが、この実施の形態２では、番組の特徴的サインに加えて話題の開始／終了情報を追加して話題を特定し、話題のダイジェスト映像範囲をより詳細に示す構成について示す。なお、実施の形態２の放送受信装置３０の構成は実施の形態１で示した放送受信装置３０の構成と同一であるため、ブロック図の記載を省略し、実施の形態１で使用した符号と同一の符号を付して説明を省略または簡略化する。
【００５４】
図１６は、実施の形態２の放送受信装置における放送番組の各種情報で構成されるテンプレートを示す図であり、ニュース番組のテンプレートを示している。
図１６に示す実施の形態２による放送受信装置３０のテンプレートでは、図３で示した実施の形態１のテンプレートに追加して開始／終了条件を検出するための項目「条件種別」、「条件」および「条件値」を設けている。図１７は項目「条件種別」の設定例を示し、図１８は項目「条件」の設定例を示している。
【００５５】
図１９は、図１６に示したテンプレートの記載例を示す図であり、図２に示した放送番組について記載した例を示している。なお、実施の形態１で示した項目については、説明を省略する。図１９の例では、「Ａ放送局  番組−あ」のトップニュースは、音声“html://tv.A.jp/aaa/top.aac”の番組独自サインが終了する次フレームが開始点となり、且つ当該話題の次に放送される話題に対する番組独自サインが開始する１，０００ｍｓｅｃ前が終了点であることを示している。
【００５６】
特徴抽出部７３は、特徴データに番組独自サインおよび番組独自サインの提示時間情報であるフレーム数も関連付けて、録画データ格納領域５５に格納する。さらに、ダイジェスト機能部７０は、録画処理部５３から対象となる放送番組の付加データを格納する録画データ格納領域５５内のアドレスを含む処理準備指示が入力されると（図９のステップＳＴ４４）、特徴抽出部７３、比較検出部７４および話題開始／終了点判定部７６に対して対象となる放送番組の処理開始準備指示を出力する。比較検出部７４は、番組サイン情報・特徴データ格納領域７５から対象となる放送番組を構成する各話題の番組独自サインから抽出された特徴データとその提示期間を表すフレーム情報を取得する。話題開始／終了点判定部７６は、対象となる放送番組の番組サイン情報を取得し、開始条件および終了条件それぞれの条件種別、条件および条件値を確認しておく。
【００５７】
次に、実施の形態２の放送受信装置３０のダイジェスト映像クリップ生成処理の詳細について説明する。図２０は、実施の形態２による放送受信装置のダイジェスト映像クリップ生成処理を示すフローチャートである。なお、以下では実施の形態１に係る放送受信装置３０と同一のステップには図１０で使用した符号と同一の符号を付し、説明を省略または簡略化する。
放送番組の放送が開始されると、ステップＳＴ５１からステップＳＴ５９と同様の処理が行われ、比較検出部７４は、ステップＳＴ５９において相当あるいは近似するデータが検出されると、その提示期間を表すフレーム数分、特徴が相当あるいは近似するか確認を行う（ステップＳＴ６２）。ステップＳＴ５９およびステップＳＴ６２の検索および確認結果は、番組サイン情報・特徴データ格納領域７５内の対応する格納先に追加記録し、話題開始／終了点判定部７６に当該格納先を示した開始／終了点判定処理指示を出力する（ステップＳＴ６０´）。
【００５８】
ステップＳＴ６２およびステップＳＴ６０´の処理を具体例を用いて説明すると、例えば「Ａ放送局  番組−あ」のトップニュースの番組独自サイン“html://tv.A.jp/aaa/top.aac”つまり「メロディ−あ−１」の特徴データに相当あるいは近似する音声が鳴動開始したフレームを検出すると、特徴が相当または近似する期間が番組独自サイン提示期間に相当することを確認し、番組サイン情報・特徴データ格納領域７５内の「Ａ放送局  番組−あ」のトップニュースに対応する一時的格納先に、番組サイン提示タイミング情報と、番組先頭から当該サイン鳴動開始までのフレーム数、番組先頭から当該サイン鳴動終了までのフレーム数とを追加記録し、話題開始／終了点判定部７６にどの番組独自サイン用であるかを明示し、当該記録格納アドレスを示した開始／終了点判定処理指示を出力する。
【００５９】
図２１は、実施の形態２による放送受信装置の開始／終了点判定部の動作を示すフローチャートである。また、この話題開始／終了点判定部７６の動作は、図１９の具体例を参照しながら説明を行う。なお、以下では実施の形態１に係る放送受信装置３０と同一のステップには図１１で使用した符号と同一の符号を付し、説明を省略または簡略化する。
話題開始／終了点判定部７６は、指定された記録格納アドレスから当該番組サイン提示開始／終了タイミングおよび開始条件の条件種別が「番組独自サイン」、条件が「条件種別の終了フレームからのフレーム数」、条件値が「１」であることから、当該番組サイン提示終了の次フレームがトップニュースの話題開始点とし、番組先頭からのフレーム数を算出し、録画データ格納領域５５内で指定された「Ａ放送局  番組−あ」に対応する付加情報格納アドレスに話題種別情報を「トップニュース」とした開始点のフレーム番号を格納する（ステップＳＴ７２´）。さらに話題開始／終了点判定部７６は、当該話題の開始点のフレームを再生した出力を静止画サムネイルファイルとして動画デコーダ部５８に格納する（ステップＳＴ７３）。
【００６０】
次に、トップニュースの話題終了点について、終了条件の条件種別が「次の番組独自サイン」、条件が「条件種別の開始フレームからの時間」、条件値が「９００００」であることから、次の番組独自サインである２ｎｄニュース用の番組サイン提示開始タイミングから９００００ｍｓｅｃ後のフレームについて、番組先頭からのフレーム数を算出して、録画データ領域内で指定された「Ａ放送局  番組−あ」に対応する付加情報格納アドレスに話題種別情報を「トップニュース」とした終了点のフレーム番号を格納する（ステップＳＴ７７）。その後、実施の形態１で示したステップＳＴ７４からステップＳＴ７６と同一の処理を行い、処理を終了する。
【００６１】
以上のように、この実施の形態２によれば、テンプレートに開始条件および終了条件の項目「条件種別」、項目「条件」および項目「条件値」を設け、比較検出部７４においてフレーム数も考慮して特徴が相当あるいは近似するか確認を行い、さらに話題開始／終了点判定部７６において項目「条件種別」、項目「条件」および項目「条件値」に基づいて話題の開始点および終了点を判定するように構成したので、所定の話題のダイジェスト映像範囲をより詳細に示すことができる。
【００６２】
なお、上述した実施の形態２では、１つの話題に対して１つの番組独自サインをテンプレートおよび番組サイン情報に示し、トップニュースの終了条件である「次の番組独自サイン」について、番組サイン情報の記載順である２ｎｄニュースの番組独自サインを利用する場合を例に説明したが、日々の番組編成で話題の放送順序が変更される場合も想定されることから、放送で次に登場した番組独自サインを利用して動作するように構成してもよい。
また、番組オープニングや番組エンディングに用意された番組独自サインが存在し、これらの関係を利用して話題の開始／終了点を判定する場合には、図２２に示すテンプレート例のように特徴的サイン情報を番組独自サイン群情報、および話題群情報に分割し、番組内に存在する複数の番組独自サインを番組独自サイン群情報としてまとめて示し、話題に関する項目から利用サインを参照するように構成することにより、簡易に適用可能である。
また、１つの話題の開始点と終了点において利用する番組独自サインが異なる場合には、図２２に示すテンプレート例のように、項目「利用サイン番号」を設け、各話題の開始条件および終了条件でそれぞれ利用サインを示すよう構成することにより適用可能である。これらの構成は、実施の形態３以降のその他の実施の形態においても適用可能である。
【００６３】
実施の形態３．
上述した実施の形態１および実施の形態２では、番組独自サインの提示開始／終了タイミングにより話題の切出しを行い、当該話題の静止画サムネイルをダイジェスト一覧表示する構成を示したが、この実施の形態３では、実際に放送される画像の一部が、番組独自サインとしてサーバ４０で配布され、当該画像を用いてダイジェスト一覧表示を行う構成を示す。
【００６４】
図２３は、実施の形態３による放送受信装置の放送番組の各種情報で構成されるテンプレートを示す図であり、ニュース番組のテンプレートを示している。図２３に示す実施の形態３による放送受信装置３０のテンプレートでは、図３で示した実施の形態１のテンプレートに追加して項目「サイン提示位置」を設けている。図２４は、図２３に示したテンプレートの記載例を示す図であり、図２に示した放送番組について記載した例を示している。なお、実施の形態１で示した項目については、説明を省略する。図２４の例では、「Ａ放送局  番組−い」のトップニュースの項目「サイン提示位置」として“２０，０”が記載され、この“２０，０”との数値は実際の放送画像において、番組独自サインの映像が配置される位置を示しており、放送画像の左上角から右方向に２０ｐｉｘｅｌ、下方向に０ｐｉｘｅｌの位置に番組独自サイン画像が配置されることを示している。
【００６５】
図２５は、実施の形態３の放送受信装置のダイジェスト機能部の構成を示すブロック図である。なお、以下では、実施の形態１によるダイジェスト機能部７０の構成要素と同一または相当する部分には実施の形態１で使用した符号と同一の符号を付して説明を省略または簡略化する。
図２５に示すように、実施の形態３の放送受信装置３０では特徴抽出部７３に対象位置切出処理部７３ｅを追加して設けている。
対象位置切出処理部７３ｅは、サイン提示位置および画像サイズに基づき画像の切出しを行う。
【００６６】
次に、実施の形態３の放送受信装置３０の動作について、「Ａ放送局  番組−い」の番組サイン情報を例に説明する。
番組サイン情報パーサ７１は、番組サイン情報を構成する基本情報を参照し「Ａ放送局  番組−い」の番組サイン情報であることを特定し、さらに番組サイン情報を構成する特徴的サイン情報の項目に記載された番組独自サイン格納ＵＲＩ“html://tv.A.jp/iii/top.png”を読み出す。サイン種別判定処理部７２においてサイン種別がＰＮＧであると判定し、特徴抽出部７３に対してＰＮＧの特徴抽出指示を出力する。特徴抽出部７３の静止画・グラフィックス特徴抽出部７３ｃにおいて特徴データを抽出し、番組サイン情報・特徴データ格納領域７５に格納する。
【００６７】
次に、放送受信装置３０における放送開始直前の動作として、ダイジェスト機能部７０は、放送番組録画再生部５０のデータ放送ブラウザ部５９に対して、出力先として特徴抽出部７３の対象位置切出処理部７３ｅを指定する。さらに対象位置切出処理部７３ｅに対してサイン提示位置および画像サイズに基づく画像の切出しを指示し、切出した画像を静止画・グラフィック比較検出部７４ｃに入力するように指示する。放送番組の放送が開始されると、比較検出部７４において、サーバ４０から取得したＰＮＧファイルから得られた特徴データと、放送番組内のＰＮＧから得られた特徴データとを比較し、相当あるいは近似するフレームを検出することにより、実施の形態１および実施の形態２と同様に、話題の切出し処理を行い、ダイジェスト映像一覧を表示することができる。
【００６８】
図２６は、実施の形態３による放送受信装置が切出すサイン画像の表示例を示す図である。図２６（ａ）は、番組独自サイン格納ＵＲＩ“html://tv.A.jp/iii/top.png”で提供されるサイン画像を示し、図２６（ｂ）は、実際に放送番組で放送される画像を示している。
【００６９】
以上のように、この実施の形態３によれば、番組独自サインとしてサーバ４０で配布される画像が実際に放送される画像の一部分であり、特徴抽出部７３に当該画像を切出す対象位置切出処理部７３ｅを設けるように構成したので、放送番組の画像の一部分に番組独自サインが含まれている場合であっても、当該番組独自サインを容易に検出することができる。
【００７０】
なお、上述した実施の形態３では、放送される画像中の固定位置・固定サイズの部分が番組独自サインである場合の放送番組データ中における番組独自サイン領域の検出方法について説明したが、サイズが固定であるが、提示位置が不定である場合に、放送された画像のうち全ての位置から当該サイズ分の領域について特徴抽出・特徴比較ができればよい。
【００７１】
また、上述した実施の形態３では、特徴抽出・比較対象の画像サイズは、サーバ４０に格納される画像のサイズとする場合を例に説明したが、実際の放送時に拡縮された画像を利用する場合に、番組サイン情報にどのような拡縮で特徴抽出・比較すればよいかが分かればよく、図２７（ａ）に示すテンプレートの一例のように拡縮割合情報項目（または拡縮後のサイズ情報項目）を追加して設け、番組サイン情報として提示されれば、容易に特徴抽出・特徴検出が可能である。加えてＭＰＥＧ７（ＩＳＯ／ＩＥＣ  １５９３８  Information Technology − Multimedia Content Description Interface）規定のＳｉｇｎａｔｕｒｅなど、位置や拡縮サイズに柔軟に対応可能な技術を用いることで、当該番組独自サインを検出可能であれば、位置情報・拡縮（またはサイズ）情報項目を用いることなく構成することもできる。
【００７２】
また、上述した実施の形態３では、静止画像であるＰＮＧを例に説明を行ったが、番組独自サインが固定位置に含まれていれば動画像の場合にも図２８に示すダイジェスト機能部７０のモノメディア種別変換部７３ｆにより、番組独自サインと放送される番組デコードデータのモノメディア種別を統一した後、特徴抽出を行うことにより、容易に実現可能である。
【００７３】
さらに、利用する特徴抽出が映像データとして実行する方式であれば、番組独自サインの映像ファイルと実際に放送される番組内に含まれる映像のモノメディア種別が異なる場合であっても、上述した実施の形態３の方式で番組独自サインの検索を行うことができる。この場合、対象となる番組独自サインが番組内で放送されるモノメディア種別が固定可能であれば、図２７（ｂ）に示したテンプレートの一例のように対象サインの放送番組内モノメディア種別項目を追加するものや、放送ストリーム中のパケット識別番号（ＩＳＯ／ＩＥＣ１３８１８−１  ＭＰＥＧ−２  ＳＹＳＴＥＭＳでは“ＰＩＤ”と規定されるモノメディアストリームを識別可能な番号）項目を追加し、対象のモノメディアを明示することにより、番組独自サインをより容易に検出することができる。
【００７４】
図２９は、実施の形態３による放送受信装置のサイン領域の切出しの概念を示す図であり、番組独自サインとしてインターネット公開された画像からのサイン領域の切出しを示している。領域Ａはサイン全体の領域を示し、領域Ｂおよび領域Ｃはサインだけが描画される矩形領域を示している。番組独自サインとして公開したファイルの一部分がサインである場合、例えば図２９に示すように、番組独自サイン画像からサインだけで描画される矩形領域を１つ以上切出すことができればよい。図３０は、番組独自サインに関する項目「公開データからのサイン切出し位置」および項目「公開データから切出すサイズ」を追加したテンプレートの一例を示している。図３０のテンプレート例に示すように、切出す矩形の数項目と、その矩形の数分の切出し位置項目および切出すサイズ項目とを追加するように構成すればよく、図３０のテンプレートを用いることにより、図３１に示すように番組独自サインとしてインターネット公開された画像の内部が可変であっても、適用可能となる。図３１は、番組独自サインとしてインターネット公開された画像の一部が可変である場合の概念を示す図である。領域Ｄは番組独自サインの可変領域であり、領域Ｅ，Ｆ，Ｇ，Ｈは番組独自サインの固定領域を示している。
【００７５】
上述した実施の形態１から実施の形態３では、番組ジャンルが「ニュース」であるものを例に説明したが、番組ジャンル毎にテンプレートを準備し、番組サイン情報をインターネット公開することにより、あらゆる番組ジャンルの放送番組に本発明を適用することができる。なおその際、シリーズ化される放送番組ではシリーズ全体で参照可能であってもよい。これにより、ドラマの番組末尾にある次回予告部分だけをダイジェスト映像クリップとすることにより、「ドラマあらすじダイジェスト再生」といった視聴形態を提供することができる。また、テンプレートの項目は、異なる番組ジャンル間であっても共通して取り扱うことにより、新たな視聴形態を創出することができる。
【００７６】
実施の形態４．
１つの番組であっても、例えば季節の変わり目などで、番組編成や各種デザイン変更が行われる場合がある。そこでこの実施の形態４では、番組サイン情報の更新を検出し、ダイジェスト映像クリップの表示に活用する構成について示す。
図３２は、実施の形態４による放送受信装置における放送番組の各種情報で構成されるテンプレートを示す図である。図３２に示す実施の形態４による放送受信装置のテンプレートでは、図３で示した実施の形態１のテンプレートに追加して項目「番組サイン情報作成日時」を設けている。図３２のテンプレートを記載する際に、記載日時を当該項目「番組サイン情報作成日時」に入力し、サーバ４０に格納する。
【００７７】
図３３は、実施の形態４による放送受信装置のダイジェスト機能部の構成を示すブロック図である。実施の形態１で示したダイジェスト機能部７０に、番組サイン情報更新判定処理部７９、番組独自サイン候補抽出制御部８０および最新番組サイン情報生成部８１を追加して設けている。なお、以下では、実施の形態１による放送受信装置３０の構成要素と同一または相当する部分には実施の形態１で使用した符号と同一の符号を付して説明を省略または簡略化する。
番組サイン情報更新判定処理部７９は、過去に取得した番組サイン情報と、新規に取得した番組サイン情報の項目「番組サイン情報作成日時」を参照し、新規に取得した番組サイン情報が更新されたものであるか否か判定を行う。番組独自サイン候補抽出制御部８０は、指定された部分の番組独自サイン候補を録画番組データから抽出し、ファイルとして番組サイン情報・特徴データ格納領域７５に格納する。最新番組サイン情報生成部８１は、テンプレートの記載情報を適宜修正し、番組サイン情報作成日時項目を入力した番組サイン情報および番組独自サインのファイルをサーバ４０にアップロードする。
【００７８】
次に、実施の形態４による放送受信装置３０の動作について説明する。まず、番組サイン情報が更新されたか否かの検出について説明する。
実施の形態１の構成を用いて対象番組の番組独自サインを過去に取得した番組サイン情報に基づいて検出を試みたが、検出できなかった場合に、比較検出部７４は番組サイン情報に従うダイジェスト機能部７０に番組サイン情報に基づく検出ができなかった旨を通知する。通知を受けたダイジェスト機能部７０は、サーバ４０から対象番組の番組サイン情報を取得し、番組サイン情報パーサ７１において構文解析処理として、特徴的サイン情報の最初の「番組サイン情報作成日時」を番組サイン情報更新判定処理部７９に出力し、構文解析処理を一旦中断する。
【００７９】
番組サイン情報更新判定処理部７９は、対象番組の過去に取得した番組サイン情報と、新規に取得した番組サイン情報の「番組サイン情報作成日時」項目を確認し、新規に取得した番組サイン情報が更新されたものか否か判定を行う。番組サイン情報が更新されたものではないと判定された場合、すなわち同一日時だった場合、および過去に取得した番組サイン情報が新しかった場合、番組サイン情報更新判定処理部７９はダイジェスト機能部７０に対して番組サイン情報が更新されていない旨を通知する。一方、番組サイン情報が更新されたものであった場合、ダイジェスト機能部７０は、番組サイン情報パーサ７１に構文解析処理の続行を指示し、他の項目の解析を続行し、実施の形態１と同様の処理を行う。
【００８０】
次に、番組独自サインの提示方法が変更された場合に、放送受信装置３０が自動的に番組独自サインを変更する構成について説明を行う。なお、この説明では、毎日放送される「Ｂ放送局  番組−ア」において、図３４（ａ）および図３４（ｂ）に示すように、２０１１年１０月１日から番組デザインが変更されてトップニュースおよび２ｎｄニュースのＰＮＧが変更になっているが、番組サイン情報がまだ更新されていない場合を例に説明を行う。
【００８１】
上述した処理と同様に、比較検出部７４は、ダイジェスト機能部７０に番組サイン情報に従う番組独自サインが検出されなかった旨を通知し、ダイジェスト機能部７０はサーバ４０から当該番組の番組サイン情報として図３４（ａ）に示す更新前の「Ｂ  放送局  番組−ア」における番組サイン情報を取得し、番組サイン情報パーサ７１に構文解析処理を指示する。これにより、項目「番組サイン情報作成日時」が番組サイン情報更新判定処理部７９に出力されるが、番組サイン情報・特徴データ格納領域７５に格納されるものと同一日時であるため、番組サイン情報更新判定処理部７９はダイジェスト機能部７０に対して番組サイン情報が更新されていない旨を通知する。
【００８２】
ダイジェスト機能部７０は、番組サイン情報・特徴データ格納領域７５に格納されている番組サイン情報に対して、２０１１年１０月１日は番組サイン情報による処理ができなかった旨を追記する。また、同一番組の前回放送である２０１１年９月３０日分について番組サイン情報・特徴データ格納領域７５に格納された情報を参照し、番組サイン情報に従う処理を行っていたことを確認し、この日の当該番組に対する処理を終了する。
【００８３】
翌日２０１１年１０月２日放送についても同様に録画し、図３４（ａ）の番組サイン情報を利用して処理を行うが、やはり番組サイン情報に従う番組独自サインが検出できなかった旨が比較検出部７４からダイジェスト機能部７０に通知される。ダイジェスト機能部７０はサーバ４０から当該番組の番組サイン情報を取得し、番組サイン情報パーサ７１で構文解析処理された項目「番組サイン情報作成日時」を番組サイン情報更新判定処理部７９で判定し、当該番組サイン情報が更新されていない旨がダイジェスト機能部７０に通知される。
【００８４】
ダイジェスト機能部７０は、番組サイン情報・特徴データ格納領域７５に格納される当該番組サイン情報に対して、２０１１年１０月２日は番組サイン情報による処理ができなかった旨を追記する。また同一番組の前回放送である２０１１年１０月１日分について、番組サイン情報・特徴データ格納領域７５に格納された情報から、番組サイン情報に従う処理が行えなかったことを確認すると、番組独自サイン候補抽出制御部８０に対して、当該番組の２０１１年１０月１日および２日の連続した放送２回分の番組録画データを利用した番組独自サイン候補抽出を指示する。
【００８５】
番組独自サイン候補抽出制御部８０は、特徴抽出部７３に対して当該番組２０１１年１０月１日の全録画番組データの全モノメディアに対する特徴データを抽出し、番組サイン情報・特徴データ格納領域７５に出力するように指示する。特徴抽出部７３は、内蔵する音声特徴抽出部７３ａ、動画特徴抽出部７３ｂ、静止画・グラフィックス特徴抽出部７３ｃおよびジェスチャー特徴抽出部７３ｄにおいて、指定サイズなし・指定位置なし・指定期間なしの条件で抽出した全モノメディア特徴データを、番組サイン情報・特徴データ格納領域７５に格納し、処理完了を番組独自サイン候補抽出制御部８０に通知する。
【００８６】
続いて番組独自サイン候補抽出制御部８０は、特徴抽出部７３に対して当該番組２０１１年１０月２日の全録画番組データの全モノメディアに対する特徴データを抽出し、比較検出部７４に特徴データを出力するよう指示すると共に、比較検出部７４に対して特徴抽出部７３からの出力と、番組サイン情報・特徴データ格納領域７５に格納される当該番組２０１１年１０月１日の特徴データとを、指定サイズなし・指定位置なし・指定期間なしの条件で比較し、同一または類似箇所を検出するように指示する。
【００８７】
特徴抽出部７３は、内蔵する音声特徴抽出部７３ａ、動画特徴抽出部７３ｂ、静止画・グラフィックス特徴抽出部７３ｃおよびジェスチャー特徴抽出部７３ｄに対して、当該番組データについて指定サイズなし・指定位置なし・指定期間なしの条件で抽出した全モノメディア特徴データを比較検出部７４に出力するように指示する。比較検出部７４では、放送２回分の番組特徴データから同一または類似箇所を検出し、検出部分について録画番組データのモノメディア種別と区間（番組開始からのフレーム数）を番組独自サイン候補抽出制御部８０に通知する。番組独自サイン候補抽出制御部８０は、指定された部分のモノメディアデータを録画番組データから抽出し、ファイルとして番組サイン情報・特徴データ格納領域７５に格納し、格納した旨を最新番組サイン情報生成部８１に通知する。
【００８８】
その後、放送受信装置３０においてユーザが放送番組の視聴を開始すると、最新番組サイン情報生成部８１に視聴開始の通知が行われ、最新番組サイン情報生成部８１は、放送番組の題名とその番組サイン情報が存在し、当該番組サイン情報の選択処理を要求する番組サイン情報選択要求を映像音声出力部６０に提示する。
【００８９】
当該提示に従ってユーザが番組サイン情報選択要求を選択すると、最新番組サイン情報生成部８１は、図３５（ａ）に示すような番組独自サイン候補の再生画面を提示し、続いて図３５（ｂ）に示すような当該番組独自サイン候補を含んだ区間の録画番組の再生を行い、ユーザに番組独自サインに相当する話題種別の入力を要求する。最新番組サイン情報生成部８１は上述した処理を抽出した候補の数実行し、図３４（ａ）の情報を適宜修正し、最終的に項目「番組サイン情報作成日時」を入力した番組サイン情報および番組独自サインのモノメディアファイルをサーバ４０にアップロードする。これにより番組独自サイン候補の抽出および更新が完了する。
【００９０】
以上のように、この実施の形態４によれば、過去に取得した番組サイン情報と、新規に取得した番組サイン情報の項目「番組サイン情報作成日時」を参照し、新規に取得した番組サイン情報が更新されたものであるか否か判定を行う番組サイン情報更新判定処理部７９を備えるように構成したので、番組サイン情報が更新された場合に、最新の番組サイン情報を利用することができる。
【００９１】
また、この実施の形態４によれば、指定された部分の番組独自サイン候補を録画番組データから抽出し、ファイルとして格納する番組独自サイン候補抽出制御部８０と、テンプレートの記載情報を適宜修正し、番組サイン情報作成日時項目を入力した番組サイン情報および番組独自サインのファイルをサーバ４０にアップロードする最新番組サイン情報生成部８１を備えるように構成したので、自動的に番組独自サイン候補を抽出し、その意味付けを確認した上で、更新した番組サイン情報を公開することができる。
【００９２】
なお、上述した実施の形態４の構成に加えて、録画予約された放送番組の放送開始の所定時間前に再度サーバ４０に当該放送番組の番組サイン情報が更新されたか否かの確認を行い、番組サイン情報が更新されている場合には新たな番組サイン情報を取得し、再度番組独自サインの特徴抽出処理からやり直すように構成してもよい。
【００９３】
なお、上述した実施の形態４では、番組独自サインを検出できなかった場合に過去の番組サイン情報の内容を更新し、新たな番組サイン情報を生成する構成を示したが、ユーザがジャンル種別を選択し、当該選択したジャンル用のテンプレートをサーバ４０から取得し、当該テンプレートに従って２回分の放送番組の録画データから抽出および検出した番組独自サイン候補を提示し、その話題種別の選択要求を出力するように構成すれば、新しい番組の番組サイン情報を作成することができる。
【００９４】
実施の形態５．
上述した実施の形態４では番組サイン情報の更新について説明したが、この実施の形態５ではテンプレートの更新について説明する。
図３６は、実施の形態５による放送受信装置の放送番組の各種情報で構成されるテンプレートを示す図である。
図３６に示すテンプレートでは、項目「基本情報」の前に項目「テンプレート更新日時」を追加して設け、当該「テンプレート更新日時」にテンプレートが更新された日時をＵＴＣ（Universal Time Coordinates）にて記載した一例を示している。
【００９５】
放送受信装置３０において、サーバ４０から最新の番組サイン情報を取得した際、当該項目「テンプレート更新日時」を参照し、情報が更新されていた場合には、番組サイン情報パーサ７１において当該番組サイン情報の構文解析処理（パース）から処理をやり直すように構成する。
【００９６】
また異なる構成を有するサーバ４０の構成を図３７に示している。図３７に示すようにサーバ４０内にテンプレートファイル管理部４２および番組サイン情報ファイル管理部４３を追加して設け、テンプレートファイル管理部４２から番組サイン情報ファイル管理部４３に更新されたテンプレートのジャンル種別を通知すると、番組サイン情報ファイル管理部４３において更新対象のジャンルの番組サイン情報について、最新のテンプレートに対応した番組サイン情報の更新を行うように構成してもよい。
【００９７】
以上のように、この実施の形態５によれば、テンプレートに項目「テンプレート更新日時」を追加して設け、情報が更新された場合に当該番組サイン情報の構文解析処理から処理を行うように構成したので、番組サイン情報がテンプレートから更新された場合であっても対応可能となる。
【００９８】
実施の形態６．
上述した実施の形態１から実施の形態５では、テンプレートおよび番組サイン情報が、既に用意されている場合について説明を行ったが、現状の放送局または放送局を統括する協会などから本発明の情報提供がなされない可能性もある。そのため、上述した実施の形態１から実施の形態５で示した放送システムを構築および発展させるためには、ユーザから情報提供可能なシステムを構成する必要がある。この実施の形態６では、このユーザから情報提供可能な放送システムについて説明を行う。
【００９９】
図３８は実施の形態６の放送受信装置の構成を示すブロック図であり、図３９は実施の形態６のサーバの構成を示すブロック図である。
図３８に示す放送受信装置３０では、実施の形態１の図５で示した放送受信装置３０に新たにＨＴＭＬブラウザ部（ＷＥＢブラウザ部）６１を追加して設けている。また、図３９に示すサーバ４０では、実施の形態５の図３７で示したサーバ４０に新たにテンプレート作成・更新ＷＥＢ処理部４４を追加して設けている。
【０１００】
ＨＴＭＬブラウザ部６１は、放送受信装置３０にテンプレート作成処理の指示あるいは更新処理の指示が入力されると、あらかじめ記憶されたテンプレート作成／更新ＷＥＢトップページのＵＲＬでＨＴＭＬブラウザ部６１を起動する。ＨＴＭＬブラウザ部６１は、ＬＡＮ処理部２４およびＨＵＢ２２を経由してインターネット２３に対して当該ＵＲＬへのＨＴＭＬ接続要求を出力してサーバ４０に通知する。サーバ４０からテンプレート作成／更新ＷＥＢトップページのＨＴＭＬファイルが返信されると、当該ＨＴＭＬファイルがＨＴＭＬブラウザ部６１で再生され、映像音声出力部６０において所定の画面が提示される。
なお、放送受信装置３０へのテンプレート作成処理あるいは更新処理の指示の入力は、映像音声出力部６０において画面表示されたメニューからユーザが選択するように構成するなど、適宜構成可能である。
【０１０１】
テンプレート作成・更新ＷＥＢ処理部４４は、実施の形態５の図３６で示したテンプレートの基本情報である、項目「放送網識別」、項目「チャンネル識別」、および項目「番組識別」を準備する。
【０１０２】
次に、テンプレートの新規作成処理、およびテンプレートの更新処理に分けて、それぞれ具体的に説明する。
＜テンプレートの新規作成処理＞
まず、図４０から図４３に示した表示画面の一例を参照しながら、ユーザがテンプレートを新規作成する構成について説明する。なお、以下の説明では、実施の形態５の図３６で示した項目「テンプレート更新日時」が追加されたものを利用する場合を例に説明するが、本願発明の他のテンプレートに必要な項目が適用できればよく、同様に適用可能である。
ユーザが放送受信装置３０のメニューからテンプレート作成／更新処理を指定すると、放送受信装置３０ではあらかじめ記憶されたテンプレート作成／更新ＷＥＢトップページのＵＲＬでＨＴＭＬブラウザ部６１を起動する。ＨＴＭＬブラウザ部６１からＬＡＮ処理部２４およびＨＵＢ２２を経由してインターネット２３に対して、当該ＵＲＬへのＨＴＭＬ接続要求が出力され、サーバ４０に通知される。サーバ４０からテンプレート作成／更新ＷＥＢトップページのＨＴＭＬファイルが返送され、ＨＴＭＬブラウザ部６１で再生すると、例えば図４０に示す「０．起動画面」が表示される。
【０１０３】
ユーザが「新規にテンプレートを作る」ボタンを選択すると、次画面である図４１に示す「１．テンプレート新規作成  第１画面」がサーバ４０から返信され、放送受信装置３０上に提示される。
図４１に示すように、ジャンル種別は例えばプルダウンとなっており、メニュー選択すると「１．１．ジャンル種別のプルダウン」に示すような表示となる。ジャンル種別のプルダウンにはＡＲＩＢ  ＳＴＤ−Ｂ１０などで規定されるジャンル大分類の内容が指定される。図３９に示すジャンル種別のプルダウンの例では、「ニュース／報道」、「スポーツ」、「音楽」、「バラエティ」および「映画」が選択可能に構成され、その他の「情報／ワイドショー」や「ドラマ」などは選択できないように構成されている。ここで選択可能となる種別は、サーバ４０のテンプレートファイル管理部４２において、既にテンプレート登録済みのジャンルである。
【０１０４】
ジャンル種別が選択されると、「テンプレート新規作成画面」の右下に位置するボタン「ジャンル決定」が利用可能となる。当該「ジャンル決定ボタン」の選択により、テンプレートを新規作成するジャンルが決定するため、テンプレート作成・更新ＷＥＢ処理部４４において、図３６のテンプレートの基本情報である、項目「放送網識別」、項目「チャンネル識別」、項目「番組識別」を準備し、特徴的サイン情報を構成する処理に移行する。ここでは、ユーザがジャンル種別として「ニュース／報道」を選択した場合を例に説明を行う。
【０１０５】
特徴的サイン情報は、１つの番組の複数の話題の特徴を示すものである。テンプレート作成・更新プログラムでは、例えば１つの話題に関する項目入力終了により、次の話題の有無を確認し、次話題があればその話題に関する項目入力を行う処理を行う。ここでは、実施の形態１の図３で示したテンプレートを新規作成する場合について、図４２を参照しながら説明を行う。
図４２に示すように「２．話題用項目設定画面」が表示されると、ユーザは「２．１．話題種別のプルダウン」から当該話題の種別を選択する。ここで項目「上記以外（任意の話題種別を作成する）」を選択した場合には、「２．１．１．「上記以外」の選択時」に示すように「任意の話題種別を入力してください。」とテキスト入力枠が利用可能となり、ユーザに任意の話題種別の名称の入力を要求する。ユーザが話題種別を入力するとボタン「次へ」および「修正する」が選択可能となる。
【０１０６】
ここでは、話題種別に「ニュース」が選択され、ボタン「次へ」が選択された場合を例に説明すると、図４３に示すサブ話題種別プルダウンとボタン「次へ」および「修正する」が表示され、これらの選択を要求する。ここでは、サブ話題種別を「トップニュース」とし、ボタン「次へ」が選択された場合について説明する。サブ話題種別の選択が完了すると、この時点で、対応する話題種別についての設定は終了する。その後、上述した処理を繰り返し、全ての話題種別の設定が完了すると、設定内容を再確認するための画面に移行し、ここでユーザが「テンプレート登録」を選択すると、サーバ４０のテンプレート作成・更新ＷＥＢ処理部４４においてテンプレート更新日時が入力され、図３６に示すニュース番組用テンプレートがテンプレートファイル管理部４２に出力されて格納および管理され、以降のニュース番組用テンプレートの利用要求が入力された場合に、新規作成されたテンプレートが配布される。
【０１０７】
＜テンプレートの更新処理＞
次に、図４４および図４５に示した表示画面の一例を参照しながら、ユーザがテンプレートを更新する構成について説明する。なお、以下の説明では、ニュース番組用テンプレートの更新において、図３９に示したサーバ４０を利用して、上述した話題種別が「ニュース」であり、サブ話題種別が「トップニュース」を含んだテンプレートに、話題種別が「ニュース」であり、サブ話題種別が「２ｎｄニュース」を追加する場合を例に説明する。
【０１０８】
ユーザが放送受信装置３０のメニューからテンプレート作成／更新処理を指定すると、上述した処理と同様に、放送受信装置３０はサーバ４０からＨＴＭＬコンテンツを取得し、図３８に示した「０．起動画面」を提示する、ユーザが「既存のテンプレートを更新する」を選択すると、図４４に示す「４．テンプレート更新  第１画面」が提示され、「４．１．ジャンル種別のプルダウン」の表示により、視聴者が「ニュース／報道」およびボタン「ジャンル決定」を選択すると、図４５に示すように既存のニュース番組用テンプレートの特徴的サイン情報に指定された項目が一覧表示される。
【０１０９】
ユーザがボタン「サブ話題追加」を選択すると、図４３で示した「２．２．サブ話題種別設定画面」が、トップニュースが選択不可となった情報で表示される。ユーザが「２ｎｄニュース」およびボタン「次へ」を選択し、続いてボタン「テンプレート登録」を選択すると、サーバ４０のテンプレート作成・更新ＷＥＢ処理部４４でテンプレート更新日時を現在日時に更新し、例えば図３６に示すニュース番組用テンプレートがテンプレートファイル管理部４２に出力されて格納および管理され、以降のニュース番組用テンプレートの利用要求が入力された場合に、更新されたテンプレートが配布される。
【０１１０】
以上のように、この実施の形態６によれば、あらかじめ記憶されたテンプレート作成／更新ＷＥＢトップページのＵＲＬで起動するＨＴＭＬブラウザ部６１と、テンプレートの基本情報を準備するテンプレート作成・更新ＷＥＢ処理部４４とを備えるように構成したので、ユーザが放送受信装置３０を用いてテンプレートを新規作成し、サーバ４０上に公開することができる。同様に、ユーザが放送受信装置３０を用いてテンプレートを更新し、サーバ４０上に公開することができる。
【０１１１】
なお、上述した図４２および図４３において、任意の話題種別または任意のサブ話題種別が設定された場合に、以降のテンプレート作成処理または更新処理において既存の話題種別またはサブ話題種別として利用するように構成してもよい。
【０１１２】
また、上述した実施の形態１から実施の形態５で示した、テンプレートの話題種別における多様な付属情報についても、実施の形態６で示したＨＴＭＬコンテンツで設定できるように追加して構成してもよい。
【０１１３】
また、上述した実施の形態６では、自宅内にある放送受信装置３０においてＨＴＭＬコンテンツに従ってテンプレートを新規作成あるいは更新する構成を示したが、宅内の放送受信装置３０に限定されるものではなく、テンプレートを作成／公開可能であれば適宜構成可能である。たとえは、ＰＣやタブレット端末といったＨＴＭＬ対応端末でＨＴＭＬコンテンツを実行するように構成してもよいし、放送受信装置３０、ＰＣまたはタブレット端末などに内蔵されるテンプレート作成／更新手段を用いて生成したテンプレートを、サーバ４０に登録するように構成してもよい。
【０１１４】
実施の形態７．
上述した実施の形態６では、テンプレートの新規作成および更新について説明したが、この実施の形態７では、番組サイン情報の新規作成について説明する。
図４６は、実施の形態７のサーバの構成を示すブロック図である。図４６に示すサーバ４０では新たに番組サイン情報作成・更新ＷＥＢ処理部４５を追加して設けている。なお、上述した実施の形態１から実施の形態６で示した構成と同一の構成には、同一の符号を付して説明を省略する。
【０１１５】
ＨＴＭＬブラウザ部６１は、上述した実施の形態６に加えて、以下の構成を備える。  ＨＴＭＬブラウザ部６１は、放送受信装置３０に番組サイン情報・更新処理の指示が入力されると、あらかじめ記憶された番組サイン情報作成・更新ＷＥＢトップページのＵＲＬで起動する。さらにＨＴＭＬブラウザ部６１は、ＬＡＮ処理部２４およびＨＵＢ２２を経由してインターネット２３に対して当該ＵＲＬへのＨＴＭＬ接続要求を出力してサーバ４０に通知する。サーバ４０から番組サイン情報作成更新ＷＥＢトップページのＨＴＭＬファイルが返信されると、当該ＨＴＭＬファイルがＨＴＭＬブラウザ部６１で再生され、映像音声出力部６０において所定の画面が提示される。
【０１１６】
番組サイン情報作成・更新ＷＥＢ処理部４５は、取得するテンプレートに従って番組サイン情報を生成して格納し、番組サイン情報配布の要求がなされた際に格納した番組サイン情報を送付する。
【０１１７】
次に、図４７から図５０に示した表示画面の一例を参照しながら、ユーザが番組サイン情報を新規作成する構成について説明する。なお、以下の説明では、「Ａ放送局  番組−い」について、図３２に示した項目「番組サイン情報作成日時」が追加されたテンプレートを利用する場合を例に説明するが、本願発明の他の番組サイン情報の各項目内容の設定および更新ができればよく、同様に適用可能である。
ユーザが放送受信装置３０を用いて録画済み番組を再生中に、放送受信装置３０のメニューから視聴中番組の番組サイン情報作成／更新処理を指定すると、放送受信装置３０では視聴中番組の放送網種別、チャンネル識別および番組識別を指定し、あらかじめ記憶された番組サイン情報作成／更新ＷＥＢトップページのＵＲＬでＨＴＭＬブラウザ部６１を起動する。ＨＴＭＬブラウザ部６１からＬＡＮ処理部２４およびＨＵＢ２２を経由してインターネット２３に対して、当該放送網種別、チャンネル識別および番組識別の情報を付加したＵＲＬへのＨＴＭＬ接続要求が出力され、サーバ４０に通知される。サーバ４０は、番組サイン情報作成・更新ＷＥＢ処理部４５によって番組サイン情報ファイル管理部４３に対して、付加通知された放送網種別、チャンネル識別、番組識別で識別される番組の番組サイン情報の有無を確認し、この場合には、当該番組用の番組サイン情報が存在しないことが返送される。
【０１１８】
番組サイン情報作成・更新ＷＥＢ処理部４５において、当該番組用の番組サイン情報が存在しないことが認識されると、放送受信装置３０に対して当該番組の録画データのアップロードが行われ、次に番組サイン情報新規作成ＷＥＢトップページのＨＴＭＬファイルが返送され、ＨＴＭＬブラウザ部６１で再生すると、例えば図４７の「１．番組サイン情報新規作成画面」が提示される。ジャンル種別プルダウンには図４７に示す「１．１．ジャンル種別のプルダウン」のように、サーバ４０に格納済みのジャンル種別が選択可能に構成されており、仮にユーザが番組サイン情報を作成したい番組が選択付加のジャンルであった場合に、テンプレート作成／更新処理から実行する必要があることを明示している。
【０１１９】
ユーザがジャンル種別のプルダウンから「ニュース／報道」を選択すると、当該選択が通知された番組サイン情報作成・更新ＷＥＢ処理部４５は番組サイン情報ファイル管理部４３からニュース／報道番組用のテンプレートを取得する。番組サイン情報作成・更新ＷＥＢ処理部４５は取得したテンプレートに従って特徴的サイン情報の各項目を設定させるために、図４８に示す「２．特徴的サイン情報項目選択画面」を表示するＨＴＭＬコンテンツが返送され、ＨＴＭＬブラウザ部６１で再生される。ユーザが、図４８に示す「２．特徴的サイン情報項目選択画面」において、トップニュースの「設定」を選択すると、図４９に示す「３．番組独自サイン設定画面」が提示される。さらに、図４９に示す「３．１．サイン種別のプルダウン」から「グラフィックス画像（＊．ｐｎｇ）」と「次へ」を選択すると、図５０に示す「４．特徴的サイン情報  サイン情報設定画面」が提示され、番組独自サインの対象のサブ話題名とサイン種別、一時停止状態の番組先頭フレームが表示され、当該番組先頭フレームの下に再生制御ボタンが表示される。ユーザは、動画像を視聴しながら、再生制御ボタンで当該番組独自サインのグラフィックス画像が表示されるフレームまで移動させ、一時停止させて、図５０に示す「サイン登場時にここをクリック」を選択する。
【０１２０】
番組サイン情報作成・更新ＷＥＢ処理部４５は、図５０に示す「４．１．特徴的サイン情報登場画面  位置設定開始」の画面を提示し、当該サインを矩形で囲むことを可能に表示する。例えば図５０の４．１．の例において「上辺」選択時に画像の上辺に水平線Ｘを表示させ、「上辺」などの常時の右側の上下矢印ボタンで水平線Ｘを移動させ、サイン上辺の位置を入力させるインタフェースとなる。水平線Ｘは、例えば赤色などユーザが視認しやすい色を着色して表示するように構成してもよい。
【０１２１】
同様に、「下辺」の入力が行われると、水平線Ｘを移動させてサイン下辺の位置を入力させるインタフェースとなる。また、「左辺」および「右辺」の入力が行われると、図５０の「４．２．特徴的サイン情報登場画面  位置設定完了」の画面において、垂直線Ｙを移動させて左辺あるいは右辺の位置を入力させるインタフェースとなる。このように「上辺」、「下辺」、「左辺」および「右辺」の入力が行われると、「設定完了」ボタンが利用可能となり、当該ボタンをユーザが選択することにより、サインの提示位置／サイズの入力が完了となる。これにより、番組サイン情報作成・更新ＷＥＢ処理部４５では番組独自サインのサイン種別／モノメディア種別／位置／サイズと、これらが提示されている番組録画データの先頭からのフレーム数を取得し、番組独自サインを抽出してファイルとして格納する。
番組サイン情報作成・更新ＷＥＢ処理部４５は、ニュース番組用のテンプレートに合わせて、放送受信装置３０から入手した情報に基づき番組サイン情報を生成して格納し、以降当該番組サイン情報配布要求があった際には格納している番組サイン情報を送付する。
【０１２２】
以上のように、この実施の形態７によれば、ユーザ操作により新しい番組に対する番組サイン情報を作成する番組サイン情報作成・更新ＷＥＢ処理部４５を備えるように構成したので、番組新情報を新規に作成し、サーバ上に公開することができる。
【０１２３】
なお、上述した実施の形態７では、最初に番組録画データの放送１回分をサーバ４０にアップロードする構成を示したが、番組録画データから番組独自サインのファイル抽出機能がサーバ外に存在してもよいし、操作中の放送受信装置内蔵機能であってもよい。
【０１２４】
また、上述した実施の形態１から実施の形態６で示した番組サイン情報のための多様な付属情報についても、実施の形態７で示した構成によりＨＴＭＬコンテンツで設定可能に追加するように構成してもよい。
【０１２５】
また、上述した実施の形態７では、ＧＵＩを利用してユーザに番組独自サインのモノメディア種別／サイン種別／登場フレーム／位置／サイズなどを指定させる構成を示したが、上述した実施の形態４のように放送受信装置に内蔵される番組独自サイン候補を抽出しておき、視聴者に確認させるように構成してもよい。
【０１２６】
また、上述した実施の形態７では、住宅２０内の放送受信装置３０においてＨＴＭＬコンテンツに従って番組サイン情報を新規作成する構成を示したが、同様に番組サイン情報を生成／公開可能な構成であれば適宜変更可能であり、例えば、ＰＣやタブレット端末などのＨＴＭＬ対応可能端末において、上述した実施の形態６に示したＨＴＭＬコンテンツを実行するものや、放送受信装置またはＰＣ／タブレット端末などが番組サイン情報作成／更新手段を内蔵し、生成した番組サイン情報をサーバ４０に登録するように構成してもよい。また、既存の放送番組において番組サイン情報の更新が行われた場合には、既存の番組サイン情報に基づいて更新を行えば、同様に番組サイン情報の更新が可能となる。
【０１２７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１２８】
１０  放送局、１１  送信アンテナ、１２  デジタル放送波、２０  住宅、２１  受信アンテナ、２２  ＨＵＢ、２３  インターネット、２４，４１  ＬＡＮ処理部、３０  放送受信装置、４０  サーバ、４２  テンプレートファイル管理部、４３  番組サイン情報ファイル管理部、４４  テンプレート作成・更新ＷＥＢ処理部、４５  番組サイン情報作成・更新ＷＥＢ処理部、５０  放送番組録画再生部、５１  復号分離部、５２  番組配列情報処理部、５３  録画処理部、５４  再生処理部、５５  録画データ格納領域、５６  モノメディア分離部、５７  音声デコーダ部、５８  動画デコーダ部、５９  データ放送ブラウザ部、６０  映像音声出力部、６１  ＨＴＭＬブラウザ部、７０  ダイジェスト機能部、７１  番組サイン情報パーサ、７２  サイン種別判定処理部、７３  特徴抽出部、７３ａ  音声特徴抽出部、７３ｂ  動画特徴抽出部、７３ｃ  静止画・グラフィックス特徴抽出部、７３ｄ  ジェスチャー特徴抽出部、７３ｅ  対象位置切出処理部、７３ｆ  モノメディア種別変換部、７４  比較検出部、７４ａ  音声比較検出部、７４ｂ  動画比較検出部、７４ｃ  静止画・グラフィックス比較検出部、７４ｄ  ジェスチャー比較検出部、７５  番組サイン情報・特徴データ格納領域、７６  話題開始／終了点判定部、７７  ダイジェスト映像切出処理部、７８  ダイジェスト一覧表示制御部、７９  番組サイン情報更新判定処理部、８０  番組独自サイン候補抽出制御部、８１  最新番組サイン情報生成部。
【図１】
2013157656.tif 000003
【図２】
2013157656.tif 000004
【図３】
2013157656.tif 000005
【図４】
2013157656.tif 000006
【図５】
2013157656.tif 000007
【図６】
2013157656.tif 000008
【図７】
2013157656.tif 000009
【図８】
2013157656.tif 000010
【図９】
2013157656.tif 000011
【図１０】
2013157656.tif 000012
【図１１】
2013157656.tif 000013
【図１２】
2013157656.tif 000014
【図１３】
2013157656.tif 000015
【図１４】
2013157656.tif 000016
【図１５】
2013157656.tif 000017
【図１６】
2013157656.tif 000018
【図１７】
2013157656.tif 000019
【図１８】
2013157656.tif 000020
【図１９】
2013157656.tif 000021
【図２０】
2013157656.tif 000022
【図２１】
2013157656.tif 000023
【図２２】
2013157656.tif 000024
【図２３】
2013157656.tif 000025
【図２４】
2013157656.tif 000026
【図２５】
2013157656.tif 000027
【図２６】
2013157656.tif 000028
【図２７】
2013157656.tif 000029
【図２８】
2013157656.tif 000030
【図２９】
2013157656.tif 000031
【図３０】
2013157656.tif 000032
【図３１】
2013157656.tif 000033
【図３２】
2013157656.tif 000034
【図３３】
2013157656.tif 000035
【図３４】
2013157656.tif 000036
【図３５】
2013157656.tif 000037
【図３６】
2013157656.tif 000038
【図３７】
2013157656.tif 000039
【図３８】
2013157656.tif 000040
【図３９】
2013157656.tif 000041
【図４０】
2013157656.tif 000042
【図４１】
2013157656.tif 000043
【図４２】
2013157656.tif 000044
【図４３】
2013157656.tif 000045
【図４４】
2013157656.tif 000046
【図４５】
2013157656.tif 000047
【図４６】
2013157656.tif 000048
【図４７】
2013157656.tif 000049
【図４８】
2013157656.tif 000050
【図４９】
2013157656.tif 000051
【図５０】
2013157656.tif 000052